(57)【要約】一方の側に2層の膜を有し、他方の側にできれば有孔の1層の膜を有する袋を使用して骨増生を実施するための装置や方法。袋は骨増生材で充填することができる。 膜が1層ある側を顎骨に向け、膜が2層ある側を歯肉に向けた状態で、袋を顎に使用することができる。【選択図】図２
2019531818.tif 000002
【特許請求の範囲】
【請求項１】
以下で構成される組織再生を必要とする患者の治療のための装置：
直径３０ミクロン以上の孔がいくつかあいた多孔領域を有するシートを有し、
前記シートには、前記多孔領域の右側に第１領域があり、前記シートの右端から前記多孔領域と前記第１領域の間にある第１折り目まで伸び、
前記シートには、前記多孔領域の左側に第２領域があり、その前記シートの左端から前記多孔領域と前記第２領域の間にある第２折り目まで伸び、
前記第１領域には孔がないか孔がある場合でも最大のもので直径３０ミクロン未満であり、
前記多孔領域を覆うように前記第１領域が前記多孔領域にかぶさり、
前記第１領域を覆うように前記第２領域が前記第１領域にかぶさり、前記シート左端が前記第１折り目に隣接するものである。
【請求項２】
孔がないか孔がある場合でも最大のもので直径３０ミクロン未満である、請求項１記載の装置。
【請求項３】
前記第１および第２領域が一体となり軟部組織遮断領域を形成し、平行な２層が少なくとも前記多孔領域の過半を覆い、
前記軟部組織遮断領域には孔がないか孔がある場合でも最大のもので直径３０ミクロン未満である、請求項１〜２のいずれかに記載の装置。
【請求項４】
前記多孔領域で孔の数が１０を超える、請求項１〜３のいずれかに記載の装置。
【請求項５】
前記孔の直径が１００ミクロンを超える、請求項１〜４のいずれかに記載の装置。
【請求項６】
前記孔の直径が５００〜３０００ミクロンである、請求項１〜５のいずれかに記載の装置。
【請求項７】
前記孔の直径が８００〜２５００ミクロンである、請求項１〜６のいずれかに記載の装置。
【請求項８】
前記孔の占める割合が前記多孔領域の７０％を超える、請求項１〜７のいずれかに記載の装置。
【請求項９】
前記孔の占める割合が前記多孔領域の９０％を超える、請求項１〜８のいずれかに記載の装置。
【請求項１０】
前記軟部組織遮断領域の孔が最大のもので直径１０ミクロン未満である、請求項３〜９のいずれかに記載の装置。
【請求項１１】
前記軟部組織遮断領域の孔が最大のもので直径5ミクロン未満である、請求項３〜１０のいずれかに記載の装置。
【請求項１２】
前記シートの少なくとも一部分が再生誘導メンブレンである、請求項１〜１１のいずれかに記載の装置。
【請求項１３】
前記シートの少なくとも一部分が心膜である、請求項１〜１２のいずれかに記載の装置。
【請求項１４】
前記第１領域一部の周囲に第１格納式カバーを形成するスロットを有し、
前記第２領域一部の周囲に第２格納式カバーを形成するスロットを有し、
前記第２格納式カバーは前記第１格納式カバーより大く、
前記軟部組織遮断領域において前記第２格納式カバーは前記第１格納式カバーと重なり合うようにかぶさり、第１および第２格納式カバーが格納されている際は、前記軟部組織遮断領域の側面に隙間が形成される、請求項３〜１３のいずれかに記載の装置。
【請求項１５】
前記第１格納式カバーと前記第２格納式カバーが異なる向きに格納されるよう設計されている、請求項１４記載の装置。
【請求項１６】
前記第１格納式カバーに前記第１領域の前記非線形スロットと隣接して格納式カバー固定スロットがあり、前記格納式カバー固定スロットの長さが前記第２格納式カバーの幅に適合する、請求項１４〜１５のいずれかに記載の装置。
【請求項１７】
前記第１領域が前記第２領域と連結する、請求項１〜１６のいずれかに記載の装置。
【請求項１８】
前記第１領域と前記第２領域の間にある粘着層により前記第１領域と前記第２領域が連結する、請求項１〜１７のいずれかに記載の装置。
【請求項１９】
縫合糸により前記第１領域が前記第２領域と連結する、請求項１〜１８のいずれかに記載の装置。
【請求項２０】
前記第１領域が前記第２領域と非連続的に連結し、前記第１と第２領域の連結部分の間に前記第１と第２領域の非連結部分を有する、請求項１〜１９のいずれかに記載の装置。
【請求項２１】
前記第１領域にスロット、前記第２領域に連結部があり、前記第２領域の前記連結部の一部の幅が前記第１領域にある前記スロットの長さよりも大きい、請求項１〜２０記載のいずれかに記載の装置。
【請求項２２】
前記第２領域にある前記連結部の前記一部が前記第１領域の前記スロットに挿入されたものである、請求項２１に記載の装置。
【請求項２３】
前記第１領域に隣り合うスロットが二つ、前記第２領域に連結部があり、前記第２領域の前記連結部の一部の幅が前記第１領域にある前記スロットの長さよりも大きい、請求項１〜２２のいずれかに記載の装置。
【請求項２４】
前記第２領域にある前記連結部の前記一部が前記第１領域の前記スロットに挿入されたものである、請求項２３に記載の装置。
【請求項２５】
前記第２領域にスロット、前記第１領域に連結部があり、前記第１領域の前記連結部の一部の幅が前記第２領域にある前記スロットの長さよりも大きいものである、請求項１〜２４のいずれかに記載の装置。
【請求項２６】
前記第１領域にある前記連結部の前記一部が前記第２領域の前記スロットに挿入されたものである、請求項２５に記載の装置。
【請求項２７】
前記第１領域と前記第２領域の間に前記多孔領域の第１境界、前記第１領域と前記第２領域の間に前記多孔領域の第２境界があり、
前記多孔領域の前記第１および第２境界は前記多孔領域の向かい合って位置する境界にあり、
前記第１境界は前記軟部組織遮断領域と連結し、前記多孔領域の前記第２境界に隣接する詰め物用の隙間を有した袋を形成する、請求項１〜２６のいずれかに記載の装置。
【請求項２８】
境界閉鎖拡張部が前記多孔領域から前記第１および第２折り目を境界とする前記シート面を超して伸び、
前記多孔領域の前記孔に少なくとも一部かぶるように前記境界閉鎖拡張部が配置され、袋を形成するものである、請求項１〜２７のいずれかに記載の装置。
【請求項２９】
境界閉鎖拡張部が前記多孔領域から前記第１および第２折り目を境界とする前記シート面を超して伸び、
前記第１領域および前記第２領域の間に前記境界閉鎖拡張部が配置され、袋を形成するものである、請求項１〜２７のいずれかに記載の装置。
【請求項３０】
骨補強材が前記多孔領域と前記軟部組織遮断領域の間に位置するものである、請求項１〜２９のいずれかに記載の装置。
【請求項３１】
微粒子状の骨補強材が前記多孔領域と前記軟部組織遮断領域の間に位置し、前記骨補強材の粒子の直径が前記多孔領域の前記孔の直径よりも大きいものである、請求項１〜３０のいずれかに記載の装置。
【請求項３２】
微粒子状の骨補強材が前記多孔領域と前記軟部組織遮断領域の間に位置し、前記骨補強材の粒子の直径が前記多孔領域の前記孔の直径よりも小さく、前記粒子が流動性物質の中にある、請求項１〜３０のいずれかに記載の装置。
【請求項３３】
前記多孔領域の境界が前記軟部組織遮断領域と連結し袋を形成し、前記袋の中に骨補強材がある、請求項１〜３２のいずれかに記載の装置。
【請求項３４】
以下で構成される組織再生を必要とする患者の治療のための装置：
管であって、前記管の底の第１側面には直径３０ミクロン以上の孔がいくつかあいた多孔領域があり、前記管の上端の第２側面には前記多孔領域を覆うように軟部組織遮断領域があり、
前記軟部遮断領域には第１シートと第２シートがあり、
上端に位置する前記第２シートが前記第１シートを覆い２層の領域を形成し、前記多孔領域の少なくとも過半を覆うものであり、
前記軟部遮断領域には孔がないか孔がある場合でも最大のもので直径２０ミクロン未満である。
【請求項３５】
前記第１シート一部の周囲に第１格納式カバーを形成するスロット、前記第２シート一部の周囲に第２格納式カバーを形成するスロットを有し、
前記第２格納式カバーは前記第１格納式カバーより大きく、前記軟部組織遮断領域において前記第２格納式カバーは前記第１格納式カバーと重なり合うようにかぶさり、第１および第２格納式カバーが格納されている際は、前記軟部組織遮断領域の側面に隙間が形成される、請求項３４に記載の装置。
【請求項３６】
前記第１格納式カバーと前記第２格納式カバーが異なる向きに格納されるよう設計されている、請求項３５に記載の装置。
【請求項３７】
前記第１格納式カバーに前記第１シート領域の前記非線形スロットと隣接して格納式カバー固定スロットがあり、前記格納式カバー固定スロットの長さが前記第２格納式カバーの幅に適合するものである、請求項３５〜３６のいずれかに記載の装置。
【請求項３８】
前記多孔領域の孔の数が10を超え、直径が８００〜２５００ミクロンのものである、請求項３４〜３７のいずれかに記載の装置。
【請求項３９】
前記軟部組織遮断領域に孔がないか孔がある場合でも最大のもので直径５ミクロン未満である、請求項３４〜３８のいずれかに記載の装置。
【請求項４０】
前記第１および第２シートが粘着層あるいは縫合糸により結合された骨再生誘導メンブレンであり、
前記多孔領域には境界閉鎖拡張部があり、前記第１シートと第２シートの間に前記境界閉鎖拡張部が配置され袋を形成するものである、請求項３４〜３９のいずれかに記載の装置。
【請求項４１】
以下で構成される組織再生を必要とする患者の治療のための装置：
袋であって、前記袋の底の第１側面には直径３０ミクロン以上の孔がいくつかあいた多孔領域があり、前記管の上端の第２側面には前記多孔領域を覆うように軟部組織遮断領域があり、
前記軟部遮断領域には第１シートと第２シートがあり、
上端に位置する前記第２シートが前記第１シートを覆い前記軟部組織遮断領域に２層の領域を形成し、前記多孔領域の少なくとも過半を覆うものであり、
前記軟部遮断領域には孔がないか孔がある場合でも最大のもので直径２０ミクロン未満である。
【請求項４２】
前記第１シート一部の周囲に第１格納式カバーを形成するスロット、前記第２シート一部の周囲に第２格納式カバーを形成するスロットを有すし、
前記第２格納式カバーは前記第１格納式カバーより大きく、前記軟部組織遮断領域において前記第２格納式カバーは前記第１格納式カバーと重なり合うようにかぶさり、第１および第２格納式カバーが格納されている際は、前記軟部組織遮断領域の側面に隙間が形成される、請求項４１に記載の装置。
【請求項４３】
前記第１格納式カバーと前記第２格納式カバーが異なる向きに格納されるよう設計されている、請求項４２に記載の装置。
【請求項４４】
前記第１格納式カバーに前記第１シートの前記非線形スロットと隣接して格納式カバー固定スロットがあり、前記格納式カバー固定スロットの長さが前記第２格納式カバーの幅に適合するものである、請求項４２〜４３のいずれかに記載の装置。
【請求項４５】
前記孔の直径が５００〜３０００ミクロンであり、前記孔の占める割合が前記多孔領域の５０％を超えるものである、請求項４１〜４４のいずれかに記載の装置。
【請求項４６】
前記多孔領域に境界閉鎖拡張部があるもの。前記多孔領域の前記孔に少なくとも一部かぶさるように前記境界閉鎖拡張部が配置され前記袋を閉じるものである、請求項４１〜４５のいずれかに記載の装置。
【請求項４７】
以下で構成される組織再生を必要とする患者の治療のための装置の作成方法：
a. シートの一領域に直径３０ミクロンを超える孔をいくつか開け、多孔領域を形成し、
b. 前記シートを折り前記多孔領域の右側上部に第１領域を作成し、
c. 前記シートを折り前記多孔領域の左側で前記第１領域の上にかぶさるように第２領域を作成し、前記第１領域と第２領域により２層の軟部組織遮断領域を形成し、前記多孔領域の過半を覆うものであり、
前記軟部遮断領域には孔がないか孔がある場合でも最大のもので直径２０ミクロン未満である。
【請求項４８】
前記第１シート一部の周囲に第１格納式カバーを形成するスロット、前記第２シート一部の周囲に第２格納式カバーを形成するスロットを有し、
前記第２格納式カバーは前記第１格納式カバーより大きく、前記軟部組織遮断領域において前記第２格納式カバーは前記第１格納式カバーと重なり合うようにかぶさり、第１および第２格納式カバーが格納されている際は、前記軟部組織遮断領域の側面に隙間が形成される、請求項４７記載の方法。
【請求項４９】
前記第１格納式カバーと前記第２格納式カバーが異なる向きに格納されるよう設計されている、請求項４８記載の方法。
【請求項５０】
前記第１格納式カバーに前記第１シートの前記非線形スロットと隣接して格納式カバー固定スロットがあり、前記格納式カバー固定スロットの長さが前記第２格納式カバーの幅に適合する、請求項４８〜４９のいずれかに記載の装置。
【請求項５１】
前記多孔領域の孔の数が１０を超え、直径が８００〜２５００ミクロンであり、
前記孔の占める割合が前記多孔領域の５０％を超えるものである、請求項４７〜５０のいずれかに記載の方法。
【請求項５２】
前記第２領域にスロット、前記第１領域に連結部があり、前記第１領域の前記連結部の一部の幅が前記第２領域にある前記スロットの長さよりも大きく、
前記第１領域にある前記連結部の前記一部が前記第２領域の前記スロットに挿入されたものである、請求項４７〜５１のいずれかに記載の方法。
【請求項５３】
前記第１領域の前記折り目が第１折り目沿い、前記第２領域の前記折り目が第２折り目沿いにあり、境界閉鎖拡張部が前記多孔領域から前記第１および第２折り目を境界とする前記シート面を超して伸びるもの。前記第１領域および前記第２領域の間に前記境界閉鎖拡張部が配置され袋を形成する、請求項４７〜５２のいずれかに記載の方法。
【請求項５４】
前記シートの前記右端が第2境界線に隣接するものである、請求項１〜３３のいずれかに記載の装置。
【請求項５５】
前記第１領域が前記多孔領域の少なくとも過半を覆うものである、請求項１〜３３または５４のいずれかに記載の装置。
【請求項５６】
前記第２領域が前記第１領域の少なくとも過半を覆うものである、請求項１〜３３または５４〜５５のいずれかに記載の装置。
【請求項５７】
前記第２領域が前記多孔領域の少なくとも過半を覆うものである、請求項１〜３３または５４〜５６のいずれかに記載の装置。
【請求項５８】
前記多孔領域が生体吸収性骨再生誘導で出来ている、請求項３４〜４０のいずれかに記載の装置。
【請求項５９】
前記骨再生誘導メンブレンがコラーゲン膜である、請求項４０または５８のいずれかに記載の装置。
【請求項６０】
前記骨再生誘導メンブレンが心膜である、請求項４０、５８または５９のいずれかに記載の装置。
【請求項６１】
前記軟部組織遮断領域と前記多孔領域の間にある前記管が完全に空洞である、請求項３４〜４０または５８〜６０のいずれかに記載の装置。
【請求項６２】
前記軟部組織遮断領域に直径２０ミクロン未満の孔が開けられている、請求項３４〜４０または５８〜６１のいずれかに記載の装置。
【請求項６３】
前記軟部組織遮断領域に直径１０ミクロン未満の孔が開けられている、請求項３４〜４０または５８〜６１のいずれかに記載の装置。
【請求項６４】
前記管が微粒子状の骨補強材で満たされている、請求項３４〜４０または５８〜６３のいずれかに記載の装置。
【請求項６５】
前記多孔領域が生体吸収性骨再生誘導で出来ている、請求項４１〜４６のいずれかに記載の装置。
【請求項６６】
前記骨再生誘導メンブレンがコラーゲン膜である、請求項６５記載の装置。
【請求項６７】
前記骨再生誘導メンブレンが心膜である、請求項６５または６６のいずれかに記載の装置。
【請求項６８】
前記軟部組織遮断領域と前記多孔領域の間にある前記袋が完全に空洞である、請求項４１〜４６または６５〜６７のいずれかに記載の装置。
【請求項６９】
前記軟部組織遮断領域に直径２０ミクロン未満の孔が開けられている、請求項４１〜４６または６５〜６８のいずれかに記載の装置。
【請求項７０】
前記軟部組織遮断領域に直径１０ミクロン未満の孔が開けられている、請求項４１〜４６または６５〜６８のいずれかに記載の装置。
【請求項７１】
前記袋が微粒子状の骨補強材で満たされている、請求項４１〜４６または６５〜７０のいずれかに記載の装置。
【請求項７２】
前記多孔領域が生体吸収性骨再生誘導で出来ている、請求項４７〜５３のいずれかに記載の装置。
【請求項７３】
前記骨再生誘導メンブレンがコラーゲン膜である、請求項７２記載の装置。
【請求項７４】
前記骨再生誘導メンブレンが心膜である、請求項７２または７３のいずれかに記載の装置。
【請求項７５】
前記軟部組織遮断領域と前記多孔領域の間が完全に空洞である、請求項４７〜５３または７２〜７４のいずれかに記載の装置。
【請求項７６】
前記軟部組織遮断領域に直径２０ミクロン未満の孔が開けられている、請求項４７〜５３または７２〜７５のいずれかに記載の装置。
【請求項７７】
前記軟部組織遮断領域に直径１０ミクロン未満の孔が開けられている、請求項４７〜５３または７２〜７５のいずれかに記載の装置。
【請求項７８】
前記軟部組織遮断領域と前記多孔領域の間が微粒子状の骨補強材で満たされている、請求項４７〜５３または７２〜７７のいずれかに記載の装置。
【発明の詳細な説明】
【技術分野】
【０００１】
本発明は主に組織を増強させる装置および/または骨を増強させる装置とその装置を製造する方法、使用する方法に関連する。その他治療でも、例えば薬物および/または放射の指向性放出にも使用することが出来る。
【０００２】
オッセオインテグレーテッド・フィクスチャーとも呼ばれる、歯のない患者の歯科インプラント治療は、主にチタンおよび/またはジルコニウムで作られ、当技術分野では周知の治療である。治療では、部分的無歯顎の歯槽骨に歯科インプラントを埋め込む。インプラントを埋め込んでから適正に回復するまで通常数カ月要する。回復後、歯科インプラントの一部に支台歯（コロナルとも呼ばれる）が取り付けられる。数週間後、支台歯に人工歯を取り付けることが可能となり治療が完了する。場合によっては、もっと早い時期あるいは当日にでも、支台歯および/または単冠および/または架工義歯および/または入れ歯および/またはドルダーバーおよび/またはその他歯の部品を歯科インプラントにつなげることが可能である。
【０００３】
インプラント埋め込みのためには、通常で高さ10mm幅7mm程度の十分な歯槽骨が必要となる。
【０００４】
歯が取り除かれると、歯からの骨化誘導因子の欠如により歯槽骨は次第に再吸収される。再吸収プロセスが進行するにつれ、骨の大きさが縮小する、すなわち、歯根が位置している骨、歯茎が縮小し始める。 
【０００５】
歯が一つ欠如しているだけで歯列弓全体が変形することもあり、他の歯もなくしうる軟化（インサーションの脱落）の可能性を促進することまである。歯が複数欠如すると問題はさらに悪化する。骨量の減少は最終的に患者の容姿まで変え、減少の具合次第で、架工義歯やインプラント、入れ歯まで受けることが出来なくなってしまう。そこで上顎（上顎骨とも呼ばれる）や下顎（下顎骨とも呼ばれる）の歯茎を再建するための外科手術をいくつか行う必要がある。
【０００６】
これら再建手術の方法はこれまで成功してきたが、このタイプの手術には欠点がある。いくつかの方法では、萎縮症の歯茎全体の粘膜骨膜組織（骨膜組織とも呼ばれる）および/または歯肉を開け、骨移植材料とメンブレンを移植片の上に配置し、繊細な粘膜骨膜組織 を元どおりに縫合しメンブレンを覆う。メンブレンは、骨移植片の位置を保持し、粘膜上皮が移植片まで伸びて骨再生の進行を妨げることを防止する役割がある。この外科手術には欠点があり、通常限られた量しか骨が再生されない。
【０００７】
参照により本書に含まれているカルモンによる米国特許No. 7,749,26およびカルモンによる米国特許の情報開示では、これら欠点をいくつか打開するための装置や方法が発表されている。カルモンの発表では、骨と骨膜組織の間に袋を設け、そこに骨増生材を充填することが出来る。袋の骨側には孔を開け、一方の骨膜組織側は骨再生誘導メンブレンで作り、孔が開けられた側と異なり様々な特性を持たせることができる。参照により本書に含まれているカルモンによる米国特許No. 20150320463では、骨増生材を充填することが出来、孔が空いた側面を設けることが出来る袋を用いた骨折を治療するための装置や方法が発表されている。しかしながら、そのような袋を作成することは、特にコラーゲンや心膜のような生物学的材料で作られる場合においては、簡単ではない。骨膜下トンネルの中に袋を挿入することも、特にオトガイ神経が隣接する下顎の後部では袋挿入の最中に損傷を与えかねないため、簡単ではない。
【０００８】
従って、袋および/または容器を製造するためのよりよい装置や方法と、骨膜下トンネル（骨膜下トンネルを使う場合）に袋をより安全に挿入することが可能となる方法が必要である。
【発明の概要】
【発明が解決しようとする課題】
【０００９】
本発明は組織再生のための装置および方法である。次に示す実施形態としては顎の骨再生に重点を置くが、その他からだの骨および/または組織でも同様の装置を使用することができる。例えば袋は、膝やその他の関節の軟骨組織に使用することが出来る。
【００１０】
発明の一つが、片側に1層のメンブレン、反対側に2層の骨再生誘導メンブレンをもった袋である。1層側は孔が開けられ、骨組織の内部成長を可能にする。袋は完全な生体再吸収性とすることができる。1層側は2層のメンブレンをもつ側と異なり他の材質で作ることもできる。1層側が2層側よりも早く再吸収されるようにできるが、両側とも完全におよび/または部分的に非再吸収性とすることができる。袋には骨の成長を促進させる材料を充填することができる。1層側が骨に向き、2層側が歯茎に向くかたちで袋を顎の中に入れることができる。2層側で、骨再生の進行を妨げる軟部組織の内部成長が袋の中で起きることを防止するようにもできる。
【００１１】
本発明のその他の物や機能については次に示す詳細説明を、発明形態をいくつか記した添付図面と合わせて読んでいただくことで、明らかにしていく。なお、図面は説明を目的としたデザインであり、発明の制限を定義する意図はないことはご理解いただきたい。
【００１２】
また、これから説明する形態は、組み合わせの明記はしていないが、どのような組み合わせでも使用することができるということもご理解いただきたい。お互いの関係性が異なり、要素が異なる場合で可能な組み合わせの数、および装置の使い方の選択肢の数は膨大である。従って、いくつかの形態だけ説明と図示がされている。
【００１３】
本発明では新しい機能を多数可能にしており、そのいずれも特許を取れる意義があると思われ、様々な組み合わせで組み合わせることができる。いくつか選定したものについては下記にて説明し、他に可能な組み合わせについては本説明を読めば、当分野に普段から精通している人であれば明らかであろう。本発明の一つの形態の典型として説明される機能はすべて、他の形態に同じように適用できると理解されるべきである。ただし、機能が明らかに不適合の場合や別段明記されている場合を除く。
【００１４】
従って、本発明の教示内容によれば、以下で構成される組織再生を必要とする患者を治療するための装置が可能となる：
以下で構成される組織再生を必要とする患者を治療するための装置：
シート。シートには直径30ミクロンを超える大きさの孔が複数空いた多孔領域がある。シートには、多孔領域の右側に第１側部領域がある。シートには多孔領域の左側に第２側部領域がある。第１側部領域には孔がないか孔がある場合でも最大のもので直径30ミクロン以下。
【００１５】
本発明の他の機能によれば、第２側部領域には孔がないか孔がある場合でも最大のもので直径30ミクロン以下。
【００１６】
本発明の他の機能によれば、第１および第２側部領域は多孔領域の上に配置され、多孔領域の上に軟部組織遮断領域を形成する。軟部組織遮断領域には孔がないか孔がある場合でも最大のもので直径30ミクロン以下。
【００１７】
本発明の他の機能によれば、シートには直径30ミクロンを超える大きさの孔が複数空いた中央領域がある。シートには中央領域の右側に第１側部領域がある。シートには中央領域の左側に第２側部領域がある。第１および第２側部領域は多孔領域の上に配置され、多孔領域の上に軟部組織遮断領域を形成する。軟部組織遮断領域には直径20ミクロンを超える大きさの孔はない。
【００１８】
本発明の他の機能によれば、前記第１側部領域には前記第１側部領域一部の周囲に第１格納式カバーを形成するスロットがある。また本発明の他の機能によれば、前記第２側部領域には前記第２側部領域一部の周囲に第２格納式カバーを形成するスロットがある。
【００１９】
本発明の他の機能によれば、前記第２格納式カバーは前記第１格納式カバーより大きい。前記軟部組織遮断領域において前記第２格納式カバーは前記第１格納式カバーに重なり合うようにかぶさり、前記第１および第２格納式カバーが格納されている際は、前記軟部組織遮断領域の側面に開口を形成する。
【００２０】
本発明の他の機能によれば、前記第１側部領域には前記第１側部領域一部の周囲に第１格納式カバーを形成するスロットがある。前記第２側部領域には前記第２側部領域一部の周囲に第２格納式カバーを形成するスロットがある。前記第２格納式カバーは前記第１格納式カバーより大きい。前記軟部組織遮断領域において前記第２格納式カバーは前記第１格納式カバーに重なり合うようにかぶさり、前記第１および第２格納式カバーが格納されている際は、前記軟部組織遮断領域の側面に開口を形成する。
【００２１】
本発明の他の機能によれば、前記第１格納式カバーと前記第２格納式カバーは異なる向きに格納されるよう設計されている。また本発明の他の機能によれば、前記第１格納式カバーには前記第１側部領域の前記非線形スロットと隣接して格納式カバー固定スロットがあり、前記格納式カバー固定スロットの長さは前記第２格納式カバーの幅に適合する。
【００２２】
本発明の他の機能によれば、中央領域には直径30ミクロンを超える大きさの孔が複数空いていて多孔領域を形成する。
【００２３】
本発明の他の機能によれば、中央領域の孔の数は10を超える。
【００２４】
本発明の他の機能によれば、中央領域は第１および第２側部領域よりも早くバイオ消散する。
【００２５】
本発明の他の機能によれば、孔の直径は100ミクロンを超える。
【００２６】
本発明の他の機能によれば、孔の直径は500〜3000ミクロン。
【００２７】
本発明の他の機能によれば、孔の直径は800〜2500ミクロン。
【００２８】
本発明の他の機能によれば、孔の占める割合は前記多孔領域の70％を超える。
【００２９】
本発明の他の機能によれば、孔の占める割合は前記多孔領域の90％を超える。
【００３０】
本発明の他の機能によれば、軟部組織遮断領域には10ミクロンを超える大きさの孔はない。
【００３１】
本発明の他の機能によれば、軟部組織遮断領域には5ミクロンを超える大きさの孔はない。
【００３２】
本発明の他の機能によれば、シートの少なくとも一部は再生誘導メンブレンである。
【００３３】
本発明の他の機能によれば、シートの少なくとも一部は心膜である。
【００３４】
本発明の他の機能によれば、シートの少なくとも一部はコラーゲン膜である。
【００３５】
本発明の他の機能によれば、シートの少なくとも一部は合成膜である。
【００３６】
本発明の他の機能によれば、第１側部領域は第２側部領域と連結している。
【００３７】
本発明の他の機能によれば、第１側部領域と第２側部領域は第１側部領域と第２側部領域の間にある粘着層によって連結している。
【００３８】
本発明の他の機能によれば、第１側部領域と第２側部領域は縫合糸によって連結している。
【００３９】
本発明の他の機能によれば、第１側部領域と第２側部領域は熱および/または圧力によって連結している。
【００４０】
本発明の他の機能によれば、第１側部領域は第２側部領域と非連続的に連結し、第１と第２側部領域の連結部分の間に第１と第２側部領域の非連結部分がある。
【００４１】
本発明の他の機能によれば、第１側部領域にはスロット、第２側部領域には連結部があり、第２側部領域の連結部の一部の幅は第１側部領域にあるスロットの長さよりも大きい。
【００４２】
本発明の他の機能によれば、第２側部領域にある連結部は第１側部領域のスロットに挿入されている。
【００４３】
本発明の他の機能によれば、第１側部領域には隣り合うスロットが二つ、第２側部領域には連結部があり、第２側部領域の連結部の一部の幅は第１側部領域にあるスロットの長さよりも大きい。
【００４４】
本発明の他の機能によれば、第２側部領域にある連結部は第１側部領域のスロットに挿入されている。
【００４５】
本発明の他の機能によれば、第２側部領域にはスロット、第１側部領域には連結部があり、第１側部領域の連結部の一部の幅は第２側部領域にあるスロットの長さよりも大きい。
【００４６】
本発明の他の機能によれば、第１側部領域にある連結部は第２側部領域のスロットに挿入されている。
【００４７】
本発明の他の機能によれば、中央領域の境界の１つは組織遮断領域と連結していて、多孔領域の反対側の境界に隣接して詰め物用の開口を有した袋を形成する。
【００４８】
本発明の他の機能によれば、中央領域には境界閉鎖拡張部があり、境界閉鎖拡張部は少なくとも中央領域の上部に配置され袋を形成する。
【００４９】
本発明の他の機能によれば、中央領域には境界閉鎖拡張部があり、境界閉鎖拡張部は第１側部領域と第２側部領域の間に配置され袋を形成する。
【００５０】
本発明の他の機能によれば、骨増生材は中央領域と軟部組織遮断領域の間に設置される。
【００５１】
本発明の他の機能によれば、微粒子状の骨増生材は中央領域と軟部組織遮断領域の間に設置され、骨増生材の粒子の直径は多孔領域の孔の直径よりも大きい。
【００５２】
本発明の他の機能によれば、微粒子状の骨増生材は中央領域と軟部組織遮断領域の間に設置され、骨増生材の粒子の直径は多孔領域の孔の直径よりも小さく、粒子は流動性材料の中にある。
【００５３】
本発明の他の機能によれば、中央領域の境界は組織遮断領域と連結し袋を形成し、袋の中には骨増生材がある。
【００５４】
従って、本発明の教示内容によれば、以下で構成される組織再生を必要とする患者を治療するための装置が可能となる：
シート。シートには直径30ミクロンを超える大きさの孔が複数空いた多孔領域がある。シートには、多孔領域の右側に第１側部領域がある。シートには多孔領域の左側に第２側部領域がある。第１および第２側部領域は多孔領域の上に配置され、多孔領域の上に軟部組織遮断領域を形成する。軟部組織遮断領域には直径20ミクロンを超える大きさの孔はない。
【００５５】
上記の装置の領域やその他の要素は、これから説明されるものも含め、配置する順序を変えられることを明確にしておきたい。例えば、第１側部領域を多孔領域の上に配置し、第２側部領域を第１側部領域の上に配置することができる。例えば、第２側部領域を多孔領域の上に配置し、第１側部領域を第２側部領域の上に配置することもできる。
【００５６】
本発明の他の機能によれば、前記第１側部領域には前記第１側部領域一部の周囲に第１格納式カバーを形成するスロットがある。
【００５７】
本発明の他の機能によれば、前記第２側部領域には前記第２側部領域一部の周囲に第２格納式カバーを形成するスロットがある。
【００５８】
本発明の他の機能によれば、前記第２格納式カバーは前記第１格納式カバーより大きい。前記軟部組織遮断領域において前記第２格納式カバーは前記第１格納式カバーに重なり合うようにかぶさり、前記第１および第２格納式カバーが格納されている際は、前記軟部組織遮断領域の側面に開口を形成する。
【００５９】
本発明の他の機能によれば、前記第１側部領域には前記第１側部領域一部の周囲に第１格納式カバーを形成するスロットがある。前記第２側部領域には前記第２側部領域一部の周囲に第２格納式カバーを形成するスロットがある。前記第２格納式カバーは前記第１格納式カバーより大きい。前記軟部組織遮断領域において前記第２格納式カバーは前記第１格納式カバーに重なり合うようにかぶさり、前記第１および第２格納式カバーが格納されている際は、前記軟部組織遮断領域の側面に開口を形成する。
【００６０】
本発明の他の機能によれば、前記第１格納式カバーと前記第２格納式カバーは異なる向きに格納されるよう設計されている。
【００６１】
本発明の他の機能によれば、前記第１格納式カバーには前記第１側部領域の前記非線形スロットと隣接して格納式カバー固定スロットがあり、前記格納式カバー固定スロットの長さは前記第２格納式カバーの幅に適合する。
【００６２】
本発明の他の機能によれば、多孔領域の孔の数は10を超える。
【００６３】
本発明の他の機能によれば、孔の直径は100ミクロンを超える。
【００６４】
本発明の他の機能によれば、孔の直径は500〜3000ミクロン。
【００６５】
本発明の他の機能によれば、孔の直径は800〜2500ミクロン。
【００６６】
本発明の他の機能によれば、孔の占める割合は多孔領域の70％を超える。
【００６７】
本発明の他の機能によれば、孔の占める割合は多孔領域の90％を超える。
【００６８】
本発明の他の機能によれば、軟部組織遮断領域には10ミクロンを超える大きさの孔はない。
【００６９】
本発明の他の機能によれば、軟部組織遮断領域には5ミクロンを超える大きさの孔はない。
【００７０】
本発明の他の機能によれば、シートの少なくとも一部は再生誘導メンブレンである。
【００７１】
本発明の他の機能によれば、シートの少なくとも一部は心膜である。
【００７２】
本発明の他の機能によれば、シートの少なくとも一部はコラーゲン膜である。
【００７３】
本発明の他の機能によれば、シートの少なくとも一部は合成膜である。
【００７４】
本発明の他の機能によれば、第１側部領域は第２側部領域と連結している。
【００７５】
本発明の他の機能によれば、第１側部領域と第２側部領域は第１側部領域と第２側部領域の間にある粘着層によって連結している。
【００７６】
本発明の他の機能によれば、第１側部領域と第２側部領域は縫合糸によって連結している。
【００７７】
本発明の他の機能によれば、第１側部領域と第２側部領域は熱および/または圧力によって連結している。
【００７８】
本発明の他の機能によれば、第１側部領域は第２側部領域と非連続的に連結し、第１と第２側部領域の連結部分の間に第１と第２側部領域の非連結部分がある。
【００７９】
本発明の他の機能によれば、第１側部領域にはスロット、第２側部領域には連結部があり、第２側部領域の連結部の一部の幅は第１側部領域にあるスロットの長さよりも大きい。
【００８０】
本発明の他の機能によれば、第２側部領域にある連結部は第１側部領域のスロットに挿入されている。
【００８１】
本発明の他の機能によれば、第１側部領域には隣り合うスロットが二つ、第２側部領域には連結部があり、第２側部領域の連結部の一部の幅は第１側部領域にあるスロットの長さよりも大きい。
【００８２】
本発明の他の機能によれば、第２側部領域にある連結部は第１側部領域のスロットに挿入されている。
【００８３】
本発明の他の機能によれば、第２側部領域にはスロット、第１側部領域には連結部があり、第１側部領域の連結部の一部の幅は第２側部領域にあるスロットの長さよりも大きい。
【００８４】
本発明の他の機能によれば、第１側部領域にある連結部は第２側部領域のスロットに挿入されている。
【００８５】
本発明の他の機能によれば、多孔領域の境界の１つは組織遮断領域と連結していて、多孔領域の反対側の境界に隣接して詰め物用の開口を有した袋を形成する。
【００８６】
本発明の他の機能によれば、多孔領域には境界閉鎖拡張部があり、境界閉鎖拡張部は少なくとも多孔領域の孔に少なくとも一部重なるように配置され袋を形成する。
【００８７】
本発明の他の機能によれば、多孔領域には境界閉鎖拡張部があり、境界閉鎖拡張部は第１側部領域と第２側部領域の間に配置され袋を形成する。
【００８８】
本発明の他の機能によれば、骨増生材は多孔領域と軟部組織遮断領域の間に設置される。
【００８９】
本発明の他の機能によれば、微粒子状の骨増生材は多孔領域と軟部組織遮断領域の間に設置され、骨増生材の粒子の直径は多孔領域の孔の直径よりも大きい。
【００９０】
本発明の他の機能によれば、微粒子状の骨増生材は多孔領域と軟部組織遮断領域の間に設置され、骨増生材の粒子の直径は多孔領域の孔の直径よりも小さく、粒子は流動性材料の中にある。
【００９１】
本発明の他の機能によれば、多孔領域の境界は組織遮断領域と連結し袋を形成し、袋の中には骨増生材がある。
【００９２】
従って、本発明の教示内容によれば、以下で構成される組織再生を必要とする患者を治療するための装置が可能となる：
管。管の第１側面には直径30ミクロンを超える大きさの孔が複数空いた多孔領域がある。管の第２側面には多孔領域の上に軟部組織遮断領域が配置される。軟部組織遮断領域には第１シートと第２シートがあり、第２シートは第１シートの上に配置される。軟部組織遮断領域には直径20ミクロンを超える大きさの孔はない。
【００９３】
本発明の他の機能によれば、前記第１シートには前記第１シート一部の周囲に第１格納式カバーを形成するスロットがある。
【００９４】
本発明の他の機能によれば、前記第２シートには前記第２シート一部の周囲に第２格納式カバーを形成するスロットがある。
【００９５】
本発明の他の機能によれば、前記第２格納式カバーは前記第１格納式カバーより大きい。前記軟部組織遮断領域において前記第２格納式カバーは前記第１格納式カバーに重なり合うようにかぶさり、前記第１および第２格納式カバーが格納されている際は、前記軟部組織遮断領域の側面に開口を形成する。
【００９６】
本発明の他の機能によれば、前記第１シートには前記第１シート一部の周囲に第１格納式カバーを形成するスロットがある。前記第２シートには前記第２シート一部の周囲に第２格納式カバーを形成するスロットがある。前記第２格納式カバーは前記第１格納式カバーより大きい。前記軟部組織遮断領域において前記第２格納式カバーは前記第１格納式カバーに重なり合うようにかぶさり、前記第１および第２格納式カバーが格納されている際は、前記軟部組織遮断領域の側面に開口を形成する。
【００９７】
本発明の他の機能によれば、前記第１格納式カバーと前記第２格納式カバーは異なる向きに格納されるよう設計されている。
【００９８】
本発明の他の機能によれば、前記第１格納式カバーには前記第１シートの前記非線形スロットと隣接して格納式カバー固定スロットがあり、前記格納式カバー固定スロットの長さは前記第２格納式カバーの幅に適合する。
【００９９】
本発明の他の機能によれば、多孔領域の孔の数は10を超える。
【０１００】
本発明の他の機能によれば、孔の直径は100ミクロンを超える。
【０１０１】
本発明の他の機能によれば、孔の直径は500〜3000ミクロン。
【０１０２】
本発明の他の機能によれば、孔の直径は800〜2500ミクロン。
【０１０３】
本発明の他の機能によれば、孔の占める割合は多孔領域の70％を超える。
【０１０４】
本発明の他の機能によれば、孔の占める割合は多孔領域の90％を超える。
【０１０５】
本発明の他の機能によれば、軟部組織遮断領域には10ミクロンを超える大きさの孔はない。
【０１０６】
本発明の他の機能によれば、軟部組織遮断領域には5ミクロンを超える大きさの孔はない。
【０１０７】
本発明の他の機能によれば、シートの少なくとも一部は再生誘導メンブレンである。
【０１０８】
本発明の他の機能によれば、シートの少なくとも一部は心膜である。
【０１０９】
本発明の他の機能によれば、シートの少なくとも一部はコラーゲン膜である。
【０１１０】
本発明の他の機能によれば、シートの少なくとも一部は合成膜である。
【０１１１】
本発明の他の機能によれば、第１シート領域は第２シートと連結している。
【０１１２】
本発明の他の機能によれば、第１シートと第２シートは第１シートと第２シートの間にある粘着層によって連結している。
【０１１３】
本発明の他の機能によれば、第１シートと第２シートは縫合糸によって連結している。
【０１１４】
本発明の他の機能によれば、第１シートと第２シートは熱および/または圧力によって連結している。
【０１１５】
本発明の他の機能によれば、第１シートは第２シートと非連続的に連結し、第１と第２シートの連結部分の間に第１と第２シートの非連結部分がある。
【０１１６】
本発明の他の機能によれば、多孔領域の境界の１つは組織遮断領域と連結していて、多孔領域の反対側の境界に隣接して詰め物用の開口を有した袋を形成する。
【０１１７】
本発明の他の機能によれば、多孔領域には境界閉鎖拡張部があり、境界閉鎖拡張部は多孔領域の孔に少なくとも一部重なるように配置され袋を形成する。
【０１１８】
本発明の他の機能によれば、多孔領域には境界閉鎖拡張部があり、境界閉鎖拡張部は第１シートと第２シートの間に配置され袋を形成する。
【０１１９】
本発明の他の機能によれば、骨増生材は多孔領域と軟部組織遮断領域の間に設置される。
【０１２０】
本発明の他の機能によれば、微粒子状の骨増生材は多孔領域と軟部組織遮断領域の間に設置され、骨増生材の粒子の直径は多孔領域の孔の直径よりも大きい。
【０１２１】
本発明の他の機能によれば、微粒子状の骨増生材は多孔領域と軟部組織遮断領域の間に設置され、骨増生材の粒子の直径は多孔領域の孔の直径よりも小さく、粒子は流動性材料の中にある。
【０１２２】
本発明の他の機能によれば、多孔領域の境界は組織遮断領域と連結し袋を形成し、袋の中には骨増生材がある。
【０１２３】
従って、本発明の教示内容によれば、以下で構成される組織再生を必要とする患者を治療するための装置が可能となる：
袋。袋の第１側面には直径30ミクロンを超える大きさの孔が複数空いた多孔領域がある。袋の第２側面には多孔領域の上に軟部組織遮断領域が配置される。軟部組織遮断領域には第１シートと第２シートがあり、第２シートは第１シートの上に配置される。軟部組織遮断領域には直径20ミクロンを超える大きさの孔はない。
【０１２４】
本発明の他の機能によれば、前記第１シートには前記第１シート一部の周囲に第１格納式カバーを形成するスロットがある。
【０１２５】
本発明の他の機能によれば、前記第２シートには前記第２シート一部の周囲に第２格納式カバーを形成するスロットがある。
【０１２６】
本発明の他の機能によれば、前記第２格納式カバーは前記第１格納式カバーより大きい。前記軟部組織遮断領域において前記第２格納式カバーは前記第１格納式カバーに重なり合うようにかぶさり、前記第１および第２格納式カバーが格納されている際は、前記軟部組織遮断領域の側面に開口を形成する。
【０１２７】
本発明の他の機能によれば、前記第１シートには前記第１シート一部の周囲に第１格納式カバーを形成するスロットがある。前記第２シートには前記第２シート一部の周囲に第２格納式カバーを形成するスロットがある。前記第２格納式カバーは前記第１格納式カバーより大きい。前記軟部組織遮断領域において前記第２格納式カバーは前記第１格納式カバーに重なり合うようにかぶさり、前記第１および第２格納式カバーが格納されている際は、前記軟部組織遮断領域の側面に開口を形成する。
【０１２８】
本発明の他の機能によれば、前記第１格納式カバーと前記第２格納式カバーは異なる向きに格納されるよう設計されている。
【０１２９】
本発明の他の機能によれば、前記第１格納式カバーには前記第１シートの前記非線形スロットと隣接して格納式カバー固定スロットがあり、前記格納式カバー固定スロットの長さは前記第２格納式カバーの幅に適合する。
【０１３０】
本発明の他の機能によれば、多孔領域の孔の数は10を超える。
【０１３１】
本発明の他の機能によれば、孔の直径は100ミクロンを超える。
【０１３２】
本発明の他の機能によれば、孔の直径は500〜3000ミクロン。
【０１３３】
本発明の他の機能によれば、孔の直径は800〜2500ミクロン。
【０１３４】
本発明の他の機能によれば、孔の占める割合は多孔領域の70％を超える。
【０１３５】
本発明の他の機能によれば、孔の占める割合は多孔領域の90％を超える。
【０１３６】
本発明の他の機能によれば、軟部組織遮断領域には10ミクロンを超える大きさの孔はない。
【０１３７】
本発明の他の機能によれば、軟部組織遮断領域には5ミクロンを超える大きさの孔はない。
【０１３８】
本発明の他の機能によれば、シートの少なくとも一部は再生誘導メンブレンである。
【０１３９】
本発明の他の機能によれば、シートの少なくとも一部は心膜である。
【０１４０】
本発明の他の機能によれば、シートの少なくとも一部はコラーゲン膜である。
【０１４１】
本発明の他の機能によれば、シートの少なくとも一部は合成膜である。
【０１４２】
本発明の他の機能によれば、第１シート領域は第２シートと連結している。
【０１４３】
本発明の他の機能によれば、第１シートと第２シートは第１シートと第２シートの間にある粘着層によって連結している。
【０１４４】
本発明の他の機能によれば、第１シートと第２シートは縫合糸によって連結している。
【０１４５】
本発明の他の機能によれば、第１シートと第２シートは熱および/または圧力によって連結している。
【０１４６】
本発明の他の機能によれば、第１シートは第２シートと非連続的に連結し、第１と第２シートの連結部分の間に第１と第２シートの非連結部分がある。
【０１４７】
本発明の他の機能によれば、袋には多孔領域の境界の１つに隣接する詰め物用の開口がある。
【０１４８】
本発明の他の機能によれば、多孔領域には境界閉鎖拡張部があり、境界閉鎖拡張部は多孔領域の孔に少なくとも一部重なるように配置され袋を閉じる。
【０１４９】
本発明の他の機能によれば、多孔領域には境界閉鎖拡張部があり、境界閉鎖拡張部は第１シートと第２シートの間に配置され袋を閉じる。
【０１５０】
本発明の他の機能によれば、骨増生材は多孔領域と軟部組織遮断領域の間に設置される。
【０１５１】
本発明の他の機能によれば、微粒子状の骨増生材は多孔領域と軟部組織遮断領域の間に設置され、骨増生材の粒子の直径は多孔領域の孔の直径よりも大きい。
【０１５２】
本発明の他の機能によれば、微粒子状の骨増生材は多孔領域と軟部組織遮断領域の間に設置され、骨増生材の粒子の直径は多孔領域の孔の直径よりも小さく、粒子は流動性材料の中にある。
【０１５３】
本発明の他の機能によれば、多孔領域の境界は組織遮断領域と連結し袋を閉じ、袋の中には骨増生材がある。
【０１５４】
従って、本発明の教示内容によれば、以下で構成される組織再生を必要とする患者の治療のための装置の作成方法が可能となる：
a. シートの一領域に直径30ミクロンを超える大きさの孔を複数開け、多孔領域を形成。
b. シートを折り多孔領域の右側上部に第１側部領域を作成。
c. シートを折り多孔領域の左側で第１側部領域の上にかぶさるように第２側部領域を作成し、第１と第２側部領域で軟部組織遮断領域を形成。軟部遮断領域には直径20ミクロンを超える大きさの孔はない。
【０１５５】
本発明の他の機能によれば、前記第１側部領域には前記第１側部領域一部の周囲に第１格納式カバーを形成するスロットがある。
【０１５６】
本発明の他の機能によれば、前記第２側部領域には前記第２側部領域一部の周囲に第２格納式カバーを形成するスロットがある。
【０１５７】
本発明の他の機能によれば、前記第２格納式カバーは前記第１格納式カバーより大きい。前記軟部組織遮断領域において前記第２格納式カバーは前記第１格納式カバーに重なり合うようにかぶさり、前記第１および第２格納式カバーが格納されている際は、前記軟部組織遮断領域の側面に開口を形成する。
【０１５８】
本発明の他の機能によれば、前記第１側部領域には前記第１側部領域一部の周囲に第１格納式カバーを形成するスロットがある。前記第２側部領域には前記第２側部領域一部の周囲に第２格納式カバーを形成するスロットがある。前記第２格納式カバーは前記第１格納式カバーより大きい。前記軟部組織遮断領域において前記第２格納式カバーは前記第１格納式カバーに重なり合うようにかぶさり、前記第１および第２格納式カバーが格納されている際は、前記軟部組織遮断領域の側面に開口を形成する。
【０１５９】
本発明の他の機能によれば、前記第１格納式カバーと前記第２格納式カバーは異なる向きに格納されるよう設計されている。
【０１６０】
本発明の他の機能によれば、前記第１側部領域には前記第１シートの前記非線形スロットと隣接して格納式カバー固定スロットがあり、前記格納式カバー固定スロットの長さは前記第２格納式カバーの幅に適合する。
【０１６１】
本発明の他の機能によれば、多孔領域の境界は組織遮断領域と連結し袋を形成し、袋の中には骨増生材がある。
【０１６２】
本発明の他の機能によれば、多孔領域の孔の数は10を超える。
【０１６３】
本発明の他の機能によれば、孔の直径は100ミクロンを超える。
【０１６４】
本発明の他の機能によれば、孔の直径は500〜3000ミクロン。
【０１６５】
本発明の他の機能によれば、孔の直径は800〜2500ミクロン。
【０１６６】
本発明の他の機能によれば、孔の占める割合は多孔領域の70％を超える。
【０１６７】
本発明の他の機能によれば、孔の占める割合は多孔領域の90％を超える。
【０１６８】
本発明の他の機能によれば、軟部組織遮断領域には10ミクロンを超える大きさの孔はない。
【０１６９】
本発明の他の機能によれば、軟部組織遮断領域には5ミクロンを超える大きさの孔はない。
【０１７０】
本発明の他の機能によれば、シートの少なくとも一部は再生誘導メンブレンである。
【０１７１】
本発明の他の機能によれば、シートの少なくとも一部は心膜である。
【０１７２】
本発明の他の機能によれば、シートの少なくとも一部はコラーゲン膜である。
【０１７３】
本発明の他の機能によれば、シートの少なくとも一部は合成膜である。
【０１７４】
本発明の他の機能によれば、第１側部領域は第２側部領域と連結している。
【０１７５】
本発明の他の機能によれば、第１側部領域と第２側部領域は第１側部領域と第２側部領域の間にある粘着層によって連結している。
【０１７６】
本発明の他の機能によれば、第１側部領域と第２側部領域は縫合糸によって連結している。
【０１７７】
本発明の他の機能によれば、第１側部領域と第２側部領域は熱および/または圧力によって連結している。
【０１７８】
本発明の他の機能によれば、第１側部領域は第２側部領域と非連続的に連結し、第１と第２側部領域の連結部分の間に第１と第２側部領域の非連結部分がある。
【０１７９】
本発明の他の機能によれば、第１側部領域にはスロット、第２側部領域には連結部があり、第２側部領域の連結部の一部の幅は第１側部領域にあるスロットの長さよりも大きい
本発明の他の機能によれば、第２側部領域にある連結部は第１側部領域のスロットに挿入されている。
【０１８０】
本発明の他の機能によれば、第１側部領域には隣り合うスロットが二つ、第２側部領域には連結部があり、第２側部領域の連結部の一部の幅は第１側部領域にあるスロットの長さよりも大きい。
【０１８１】
本発明の他の機能によれば、第２側部領域にある連結部は第１側部領域のスロットに挿入されている。
【０１８２】
本発明の他の機能によれば、第２側部領域にはスロット、第１側部領域には連結部があり、第１側部領域の連結部の一部の幅は第２側部領域にあるスロットの長さよりも大きい。
【０１８３】
本発明の他の機能によれば、第１側部領域にある連結部は第２側部領域のスロットに挿入されている。
【０１８４】
本発明の他の機能によれば、多孔領域の境界の１つは組織遮断領域と連結していて、多孔領域の反対側の境界に隣接して詰め物用の開口を有した袋を形成する。
【０１８５】
本発明の他の機能によれば、多孔領域には境界閉鎖拡張部があり、境界閉鎖拡張部は少なくとも多孔領域の孔に少なくとも一部重なるように配置され袋を形成する。
【０１８６】
本発明の他の機能によれば、多孔領域には境界閉鎖拡張部があり、境界閉鎖拡張部は第１側部領域と第２側部領域の間に配置され袋を形成する。
【０１８７】
本発明の他の機能によれば、骨増生材は多孔領域と軟部組織遮断領域の間に設置される。
【０１８８】
本発明の他の機能によれば、微粒子状の骨増生材は多孔領域と軟部組織遮断領域の間に設置され、骨増生材の粒子の直径は多孔領域の孔の直径よりも大きい。
【０１８９】
本発明の他の機能によれば、微粒子状の骨増生材は多孔領域と軟部組織遮断領域の間に設置され、骨増生材の粒子の直径は多孔領域の孔の直径よりも小さく、粒子は流動性材料の中にある。
【０１９０】
本発明の他の機能によれば、多孔領域の境界は組織遮断領域と連結し袋を形成し、袋の中には骨増生材がある。
【０１９１】
従って、本発明の教示内容によれば、以下で構成される組織再生を必要とする患者の治療のための装置の作成方法が可能となる：
a. 舌骨膜組織を下顎骨舌側面から切り取り、舌骨膜組織と下顎骨舌側面の間に舌開口部を形成。
b. 舌開口部を通る骨膜下トンネルを形成。骨膜下トンネルは舌開口部から下顎骨の一部と骨膜組織の一部に沿って伸びる。
c. 舌開口部を通して骨膜下トンネルの中に袋を挿入。袋には直径30ミクロンを超える大きさの多孔領域がある。袋には軟部組織遮断領域があり直径20ミクロンを超える大きさの孔はない。袋の中には骨増生材がある。袋の多孔領域は下顎骨の少なくとも一部に向けて配置され、軟部組織遮断領域は骨膜組織の少なくとも一部に向けて配置される。
d. 舌開口部を閉じ、下顎骨の一部に隣接したまま袋を少なくとも数日間置いておき、袋の孔を通して骨組織の内部成長を可能にする。
【０１９２】
本発明の他の機能によれば、軟部組織遮断領域には格納式カバーが少なくとも一つあり、格納されている際は袋を充填するための開口を形成する。
【０１９３】
本発明の他の機能によれば、骨膜組織の一部は舌開口部の遠位側に位置する。
【０１９４】
本発明の他の機能によれば、骨膜組織の一部は舌開口部の近心に位置する。
【０１９５】
本発明の他の機能によれば、追加の骨増生材が袋に隣接する骨膜下トンネルの中に挿入される。
【０１９６】
本発明の他の機能によれば、追加の骨増生材が袋と下顎一部の間にある骨膜下トンネルの中に挿入される。
【０１９７】
本発明の他の機能によれば、骨膜下トンネルにつながる開口部は下顎の頬側にも形成される。
【０１９８】
本発明の他の機能によれば、開口部は下顎の頬側に達するように広げられる。
【０１９９】
本発明の他の機能によれば、骨膜下トンネルは下顎一部の咬合に沿って伸びる。
【０２００】
本発明の他の機能によれば、骨膜下トンネルは下顎一部の頬側に沿って伸びる。
【０２０１】
本発明の他の機能によれば、袋は下顎一部の頬側に沿って配置される。
【０２０２】
本発明の他の機能によれば、袋は下顎一部の咬合に沿って配置される。
【０２０３】
本発明の他の機能によれば、袋は下顎一部の舌に沿って配置される。
【０２０４】
本発明の他の機能によれば、袋はボーンタックを用いて下顎に固定される。
【０２０５】
本発明の他の機能によれば、袋はスクリューを用いて下顎に固定される。
【０２０６】
本発明の他の機能によれば、袋は接着剤を用いて下顎に固定される。
【０２０７】
本発明の他の機能によれば、袋は縫合糸を用いて骨膜組織に固定される。
【０２０８】
本発明の他の機能によれば、袋は接着材を用いて骨膜組織に固定される。
【０２０９】
本発明の他の機能によれば、袋は骨増生材入りの注射器を用いて充填する。
【０２１０】
本発明の他の機能によれば、多孔領域の孔の数は10を超える。
【０２１１】
本発明の他の機能によれば、孔の直径は100ミクロンを超える。
【０２１２】
本発明の他の機能によれば、孔の直径は500〜3000ミクロン。
【０２１３】
本発明の他の機能によれば、孔の直径は800〜2500ミクロン。
【０２１４】
本発明の他の機能によれば、孔の占める割合は多孔領域の70％を超える。
【０２１５】
本発明の他の機能によれば、孔の占める割合は多孔領域の90％を超える。
【０２１６】
本発明の他の機能によれば、軟部組織遮断領域には10ミクロンを超える大きさの孔はない。
【０２１７】
本発明の他の機能によれば、軟部組織遮断領域には5ミクロンを超える大きさの孔はない。
【０２１８】
本発明の他の機能によれば、シートの少なくとも一部は再生誘導メンブレンである。
【０２１９】
本発明の他の機能によれば、シートの少なくとも一部は心膜である。
【０２２０】
本発明の他の機能によれば、シートの少なくとも一部はコラーゲン膜である。
【０２２１】
本発明の他の機能によれば、シートの少なくとも一部は合成膜である。
【０２２２】
本発明の他の機能によれば、軟部組織遮断領域の少なくとも一部には第１シートの上に第１シートと第２シートがある。
【０２２３】
本発明の他の機能によれば、第１シートと第２シートは第１シートと第２シートの間にある粘着層によって連結している。
【０２２４】
本発明の他の機能によれば、第１シートと第２シートは縫合糸によって連結している。
【０２２５】
本発明の他の機能によれば、第１シートと第２シートは熱および/または圧力によって連結している。
【０２２６】
本発明の他の機能によれば、第１シートは第２シートと非連続的に連結し、第１と第２シートの連結部分の間に第１と第２シートの非連結部分がある。
【０２２７】
本発明の他の機能によれば、第１シートにはスロット、第２シートには連結部があり、第２シートの連結部の一部の幅は第１シートにあるスロットの長さよりも大きい。
【０２２８】
本発明の他の機能によれば、第２シートにある連結部は第１シートのスロットに挿入されている。
【０２２９】
本発明の他の機能によれば、第１シートには隣り合うスロットが二つ、第２シートには連結部があり、第２シートの連結部の一部の幅は第１シートにあるスロットの長さよりも大きい。
【０２３０】
本発明の他の機能によれば、第２シートにある連結部は第１シートのスロットに挿入されている。また本発明の他の機能によれば、第２シートにはスロット、第１シートには連結部があり、第１シートの連結部の一部の幅は第２シートにあるスロットの長さよりも大きい。さらに本発明の他の機能によれば、第１シートにある連結部は第２シートのスロットに挿入されている。
【０２３１】
本発明の他の機能によれば、多孔領域の境界の１つは組織遮断領域と連結していて、多孔領域の反対側の境界に隣接して詰め物用の開口を有した袋を形成する。
【０２３２】
本発明の他の機能によれば、多孔領域には境界閉鎖拡張部があり、境界閉鎖拡張部は少なくとも多孔領域の孔に少なくとも一部重なるように配置され袋を形成する。
【０２３３】
本発明の他の機能によれば、多孔領域には境界閉鎖拡張部があり、境界閉鎖拡張部は第１シートと第２シートの間に配置され袋を形成する。
【０２３４】
本発明の他の機能によれば、骨増生材には微粒子状の骨増生材が含まれ、骨増生材の粒子の直径は多孔領域の孔の直径よりも大きい。
【０２３５】
本発明の他の機能によれば、骨増生材には微粒子状の骨増生材が含まれ、骨増生材の粒子の直径は多孔領域の孔の直径よりも小さく、粒子は流動性材料の中にある。
【０２３６】
本発明の他の機能によれば、多孔領域の境界は組織遮断領域と連結し袋を形成する。
【図面の簡単な説明】
【０２３７】
ここではほんの一例として発明が添付図面を参照して説明されている：
【図１】図１は、多孔領域を有するシートの形態を示した透視図である。
【図２】図２は、図１のシートを折ったおよび/または巻いた後に形成される管の形態を示した透視図である。
【図３】図３は、図２の管の端部を一つ閉じ、もう片方の端部が開いている袋の形態を示した透視図である。
【図４】図４は、図３の袋を詰めた後に、もう片方の袋の端部が閉じられている袋の形態を示した透視図である。
【図５】図５は、多孔領域とシートを折ったおよび/または巻いた後に形成される管の端部の閉鎖を簡単にするための境界閉鎖拡張部を有するシートの形態を示した透視図である。
【図６】図６は、多孔領域、シートを折ったおよび/または巻いた後に形成される管の端部の閉鎖を簡単にするための境界閉鎖拡張部、シートの第１・第２側部領域を連結するための連結部とそれぞれの連結部に対応したスロットを有するシートの形態を示した透視図である。
【図７】図７は、多孔領域、シートを折ったおよび/または巻いた後に形成される管の端部の閉鎖を簡単にするための境界閉鎖拡張部、シートの第１・第２側部領域を連結するための連結部とそれぞれの連結部に対応した二つのスロットを有するシートの形態を示した透視図である。
【図８】図８は、図７のシートを折りおよび/または巻き、境界閉鎖拡張部で端部を一つ閉じ、二つのスロットに連結部を挿入しシートの第１・第２側部領域を連結した後に形成される袋の形態を示した透視図である。
【図９】図９は、端部を一つ閉じ、袋の二つ目の端部の閉鎖を簡単にするために第２境界閉鎖拡張部を有する袋の形態を示した透視図である。
【図１０】図１０は、骨膜下トンネルにつながる舌開口部を作るために下顎骨から前方にある舌粘膜骨膜組織が切り取られた下顎を示した透視図である。
【図１１】図１１は、図１０の下顎に前方の舌開口部を通して下顎骨の後方に向けて骨膜下トンネルの中に袋を挿入した透視図である。
【図１２】図１２は、縫合糸および/またはワイヤーと追加の固定用の孔を用いて、オープンサイナスリフト手術の最中に上顎洞の中に袋を固定する様子を示した側面図である。
【図１３】図１３は、多孔領域と側面の開口を閉じるための閉鎖拡張部および格納式カバーを有するシートの形態を示した透視図である。
【図１４】図１４は、図１３のシートを折ったおよび/または巻いた後に形成される袋の形態を示した透視図である。袋には袋を充填するために側面と端部に開口がある。
【図１５】図１５は、図１４の袋を詰め、端部の開口を閉じ、側面の開口を二つの格納式カバーで覆った後の袋の形態を示した透視図である。
【発明を実施するための形態】
【０２３８】
本発明の機能をより詳しく見ていく前に、説明や請求の中で使用される専門用語をいくつかを明確にしておくと役立つであろう。特に、注目すべき点は、本発明が生体組織の再生または治療が必要とされる範囲では幅広い用途で役に立つということである。「生体組織 (living tissue)」という用語はここで全ての生体組織を指して用いられ、そこには骨や臓器、管、血管、虫歯、骨空洞、膜、および上記二つ以上の界面を含むがこれに限定されるものではない。単一の組織の中で使われる場合は、本発明の主用途は組織の中で組織を再生することである。組織界面で使われる場合は、発明は組織を分離および/または１つの組織だけを治療するために通常用いられる。
【０２３９】
外科手術の最中体内に入れてもよい材料で、後に消散するために別で取り除くための外科手術をする必要がないような材料は数多くの種類が知られている。それら材料は、材料の消散過程に応じて適切に、「再吸収性 (resorbable)」、「生体再吸収性 (bioresorbable)」、「吸収性 (absorbable)」、「生体吸収性 (bioabsorbable)」、「分解性」、「生体分解性 (biodegradable)」と使い分けている。材料の異なる分類間の違いはあるものの、医療専門家たちは前述の用語を区別しないで一般に使っている。それに応じて、発表を簡潔にするためにも、次の説明ではこれら用語のうち１つだけを基本的に使うこととするが、材料の他の分類を除外するということではない。加えて、「生体消散性材料 (bio-dissipative material)」という表現が説明や請求の中で使われるが、分解、劣化、吸収、排出などどういった過程を経るかに関係なく、除去のための外科手術を必要としない全ての消散性材料を指して基本的に用いられている。どの種類の材料を実際に使用するかの選択は、当分野に普段から精通している人が決めてよい。
【０２４０】
骨はいくつかの生物学的メカニズムによって再生することができる：骨形成(Osteogenesis) では骨増生材に骨形成細胞が含まれている。骨誘導 (Osteoinduction) では骨増生材に細胞の骨形成を誘導する材料や骨形成細胞に分化する材料が含まれている。骨伝導 (Osteoconduction) では骨増生材が骨形成細胞に骨格を提供する。骨促進 (Osteopromotion) では骨再生の生物環境や機械環境を促進する。骨増生材には以下のものが用いられる：自家移植片、同種移植片、異種移植片、人工材料、サイトカイン、ホルモン、成長因子、生理学的に容認された薬、生物学的修飾物質、タンパク質（例. BMP-2、BMP-7などの骨形成タンパク質）、抗原、細胞走化性刺激材料、骨形成を誘導する材料、骨誘導材料、骨伝導材料、生物活性材料、生体再吸収性材料、生体吸収性材料、生体消散性材料、前述のものによる組み合わせ。骨増生材には体内のスペースを数週間確保するような材料が含まれてよい。これら材料は確保するスペースの中で組織の成長を促進することが望ましい。これは市場に出ている骨増生材の大部分がもつ基本的な機能である。骨増生材は完全に生体消散性のものでよい。骨増生材は市場から入手できる下記のようなものでよい：ヒドロキシアパタイト、牛由来のミネラル（すなわちスイスのガイストリッヒ社から入手できるバイオオス）、他の種の生物由来の材料（例えば馬由来の材料）、無機物とコラーゲンが組み合わさった材料（すなわちイタリアのバイオテックSPAから入手できるOXグラニュール）、脱灰凍結乾燥骨（DFDBa）同種移植片、PLAなどの合成物質、液状媒質中に（多様な起源に由来する）無機物粒子が分散した懸濁液。骨増生材は、例えば結晶性ヒドロキシアパタイトのような、完全にまたは部分的に非生体消散性のものであってもよい。骨増生材には治療用物質が含まれてもよい。
【０２４１】
骨増生材は組織の中で固まり硬直するような生体適合性のある充填材料でよい。生体適合性のある充填材料は骨折治癒の過程を補助する材料を含む生体消散性材料でよい。例えば、ノリアン社のスケルタルリペアシステム(SRS)やオークエスト社のヒーロス、ハウメディカライビンガー社のオステオジェニックスやオーソビタのオーソコンプなどである。
【０２４２】
骨増生材のほとんどは200〜2000ミクロンの大きさの粒子で構成されている。挿入を簡単にするために、粒子を生理食塩水や血液、セルロースおよび/またはグリセロール、ヒドロゲルなどの生体適合性のあるゲルなどの溶液に混ぜることが望ましい。骨増生材はダイナグラフトなどのゲル状の同種移植片骨増生材および/または骨セメント硫酸カルシウムおよび/または炭酸カルシウムの高粘性ゲルでもよい。加えて、「増生材 (augmenting material)」という表現が説明や請求の中で使われが、これら全ての材料や過程、そしてこれら材料が混ぜられた全ての媒体および/またはゲルを指して基本的に用いられている。どの種類の材料および/または材料の組み合わせを実際に使用するかの選択は、当分野に普段から精通している人が決めてよい。
【０２４３】
説明の中で装置が時には「袋 (bag)」と呼んだり、時には「容器 (container)」と呼ぶことがある。どちらの用語も骨増生材を充填することができる装置を指している。「容器」あるいは「袋」は、どの形態においてもポーチまたは布でできたような小袋であってもよい。
【０２４４】
「前方の (anterior)」という用語はより前の方で唇に近い位置を指す。「後方の (posterior)」という用語はより後ろの方で喉に近い位置を指す。「頬側の (buccal)」という用語は頬と唇に近い側面を指す。「舌の (lingual)」という用語は舌の側を指す。口の中で「近心 (mesial)」という用語は歯科用語では歯列弓に沿って中央歯のある位置を指す。口の中で「遠位 (distal)」という用語は歯科用語では歯列弓に沿って臼歯のある位置を指す。
【０２４５】
メンブレン（膜）という用語は種々の材料と形状であらゆる材料の組み合わせから成る材料のシートを指す。メンブレンは生体適合性のある材料で作られることが望ましい。メンブレンは部分的にまたは完全に生体消散性のものか完全に非再吸収性のものでよい。メンブレンは人工材料で作られるものでよい。例えば、精製されたグリコリドモノマーの開環重合で作られた線状高分子重合体であるポリグリコール酸 (PGA) メッシュ（例.ポリグラクチン910 i.e. polyglycolide co-galactide）または/およびPDS (別の吸収性吸収縫合材料) および/または生体消散性のセルロースまたは非再吸収性のPTFEおよび/またはePTFEおよび/またはテフロン（登録商標）から成るセルロースなどである。メンブレンは自家移植片、同種移植片、異種移植片、および前述のものによる全ての組み合わせから作られる。例えばメンブレンはコラーゲンおよび/または架橋コラーゲンから作られる。メンブレンは心膜や腹膜、血管、その他の組織および/または生体膜から作られる。メンブレンは異なる領域ごとに異なる厚みをもつことができる。メンブレンは異なる領域ごとに異なる剛性および/または柔軟性をもつことができる。メンブレンは2つ以上の層をもつことができ、それぞれの層は異なる性質および/または異なる材料で作ることができる。メンブレンには組織再生誘導メンブレンおよび/または骨再生誘導メンブレンを含むことができる。骨再生誘導 (GBR) メンブレンは歯科インプラントにおいて骨再生のために用いられる。GBRメンブレンは上皮組織や結合組織が骨欠損に侵入し骨再生過程を妨害することを防止する。メンブレンは上記のものによる全ての組み合わせが可能である。 
骨膜下トンネルの中に袋が挿入される際、心膜のような引き裂き抵抗のあるメンブレン（例えばドイツのボティス社のジェイソンメンブレン）または圧縮されたコラーゲン（例えばスイスのガイストリッヒ社のバイオガイド圧縮）を使うと有利である。
【０２４６】
説明の中で装置および/または装置の部分を時には「シート」、時には「メンブレン（膜）」と呼んでいる。どちらの用語も袋を形成することができる装置および/または装置の部分を指している。シートまたはメンブレンは通常布地や織物のように柔らかい。シートまたはメンブレンは、布地のようですぐに使えるものか、あるいは織物のようにより柔らかくするために水和作用を必要とするかもしれない。
【０２４７】
説明の中で孔が任意の直径をもつものとして言及されている。「直径」という用語は必ずしも孔が円形であることを意味するものではない。孔は楕円および/または正方形や六角形などの多角形といった様々な形状でもよく、非正規で定義されていない形状でもよい。   
顎の中で「粘膜骨膜組織」という用語は歯茎および/または歯肉のことも指している。
【０２４８】
最後に専門用語と関連して、本発明の容器および/または袋を充填するための流動性材料に言及する。注目すべき点は、充填材料を容器の中に入れることができる限り、この流動性材料の組成や粘度は幅広い範囲が推測される。従って、充填材料の粘度の可能性としては、水っぽい、粘性的、ゲル状、鋳造可能、ろう状、微粒子状、および上記のものによる懸濁液または混合物を含むがこれに限定されるものではない。充填材料はさらに上述の骨増生材で流動性材料となりえる種類のいずれでもよい。骨増生材は生理食塩水などを溶体とした粒子の懸濁液でよい。骨増生材はゲル内に粒子が入ったものでよい。粒子は上述の骨増生材のいずれの種類からでもよく、ゲルは上述の骨増生材のいずれの種類からでもよい。ゲルにはコラーゲンおよび/また骨形成を誘導する材料いずれも含むことができる。
【０２４９】
次に詳しく見ていく図面は、本発明の領域を制限するものではなく、実践そのものを示す目的で、本発明の推奨形態を図示したものであり、複数の観点を通して同様の参照文字が対応要素を指している。
【０２５０】
図１は、メンブレンシート10（以下シートおよび/またはメンブレンと呼ぶ）を示し、その中央領域11（図１にある破線の間）には複数の孔12が開けられ、二つの側部領域13、14が中央領域の両側にある。 中央領域11はシートの中央にある必要はない。側部領域13、14には孔を開けることができない。側部領域には直径5ミクロンおよび/または10ミクロンおよび/または15ミクロンおよび/または20ミクロンおよび/または25ミクロンおよび/または30ミクロン以下の孔があり、側部領域13、14にある孔の直径は最大で5ミクロン、10ミクロン、15ミクロン、20ミクロン、25ミクロン、30ミクロンである。側部領域13、14および中央領域11は異なる寸法と異なる形状をもついくつかの種類の孔をもてる。シート10を折るおよび/または巻くことで第１側部領域13を中央領域11の上に配置し、第２側部領域14を第１側部領域13の上に配置することができる。このようにシートメンブレン10を折るおよび/または巻くことで図２に示す管状構造20を作成することができる。管状構造20では、管20の片側に中央領域11、管20のもう片側に2層のメンブレン13、14（第１および第２側部領域）があり、管20に軟部組織遮断領域21を形成する。
【０２５１】
折り目15に沿って折り目をつくることができる。折り目15の間にある中央領域と同じ程度の幅を持つ棒を置き、折り目の補助として使うことができる。棒は中央領域11の上に置き、側部領域13、14をその上に折ることができる。折れ目15には長さ0.5から3mmまたは1〜2mmまたは3mmを超える目打ち線および/または小さいスロットをつくることができる。メンブレン11の折り目15沿いに作られた長さ0.5〜3mmまたは1〜2mmまたは3mmを超える印および/またはエンボス加工のように、折り目15には幅が細い箇所があってよい。これらスロットまたはエンボス加工があることによりメンブレン11を折り目15に沿って簡単に折ることができる。
【０２５２】
第２側部領域14を第１側部領域13および/または中央領域11に連結させることで管20をその管構造を保たせ、メンブレンシート10が開いてしまうことを防ぐことができる。領域間は例えば、縫合糸および/または生体適合性のある縫合糸/接着剤を用いた接着で連結させることができる。領域間は圧力および/または熱により連結させることもできる。
【０２５３】
管は楕円である必要はなく、その他どのような形態をとってもよい。
【０２５４】
上述および後述する接着剤は、参照により本書に含まれているバイオテックS.P.A.社による国際出願No. WO2015/107502で説明されている殺菌プロセス中の放射により重合するポリマーおよび/またはヒドロゲルでよい。
【０２５５】
骨形態に簡単に適応できるように袋の柔軟性を保つため、接着剤は柔らかい接着剤でよい。袋の柔軟性を保つため、接着剤は間隔を置いておよび/または複数点にだけつけることが望ましい。
【０２５６】
図３に示す通り、管20の管の一つの端部31で閉じておき容器30を形成できる。閉じる方法は例えば縫合糸および/または生体適合性のある縫合糸および/または接着剤を用いて閉じてよい。管の端部31は、圧力および/または熱でも閉じることができる。管の端部31を閉じる前に折るおよび/または巻くことも、折るおよび/または巻くことはせずに閉じることもできる。
【０２５７】
図１に示すメンブレンのようにメンブレン10のかたちで装置を外科医に売ることができる。メンブレンには孔が開けられる中央領域と側部領域13、14があり、側部領域13，14を外科医が折りおよび/または巻いて連結し、図２に示す管20を形成する。そして管20の一つの端部31を外科医が閉じ、図３に示す容器のように容器30を形成する。
【０２５８】
図２に示す管のように管20のかたちで装置を外科医に売ることができる。そして管20の一つの端部31を外科医が閉じ、図３に示す容器のように容器30を形成する。
【０２５９】
図３に示す容器のように既に容器30のかたちで装置を外科医に売ることができる。
【０２６０】
容器30は骨増生材で充填することができる。異なる性質をもつ複数の骨増生材や骨増生材同士の組み合わせおよび/または骨増生材と担体やゲル、ポリマー、ヒドロゲルなど他の材料との組み合わせで充填することができる。容器30は、例えば再吸収性の遅いおよび/または非再吸収性の骨増生材と再吸収性の早い材料を合わせて充填することができる。容器は、例えば200ミクロンより小さいおよび/または200〜600ミクロンおよび/または500〜1000ミクロンの大きさの細かい粒子の骨増生材で充填することができる。容器には、例えば600ミクロンを超えるおよび/または1000〜2000ミクロンおよび/または2000ミクロンを超える大きいサイズの粒子状骨増生材、を追加であるいはに限定して充填することができる。容器には例えば粒子やゲルを充填することができる。
【０２６１】
中央領域には骨組織の成長が可能なサイズよりも大きい孔をもつことができる。孔の直径は10ミクロンよりも大きくでき、50ミクロンおよび/または100ミクロンおよび/または500ミクロンおよび/または1000ミクロンよりも大きいことが望ましい。孔が大きいほど骨再生は早くなる。孔の直径は500〜2000ミクロンおよび/または1000〜1800ミクロンまたは2000ミクロンよりも大きくすることができる
孔12は円形あるいはその他の形でよい。孔12は中央多孔領域11の面の少なくとも30％を占めることができる。孔12は中央多孔領域11の面の少なくとも50％および/または中央多孔領域11の面の少なくとも70%および/または中央多孔領域11の少なくとも90%を占めることが望ましい。
【０２６２】
中央領域には2〜10個および/または10〜20個および/または20〜50個および/または50〜70個および/または70〜100個および/または100〜130個および/または130を超える数の孔を開けることができる。孔の数は中央領域の大きさに応じて適切に決めるのがよい。中央領域には1ｃｍ２につき2〜5個および/または1ｃｍ２につき5〜10個および/または1ｃｍ２につき1〜15個および/または1ｃｍ２につき15〜20個および/または1ｃｍ２につき20〜25個および/または1ｃｍ２につき25個以上の孔を開けることができる。
【０２６３】
中央多孔領域11には骨増生材に応じて適切な大きさの孔を開けることができる。例えば、骨増生材の粒子の大きさに応じておよび/または骨増生材の粘度および/または流動性に応じてである。孔12の直径は、骨増生材の粒子の一部の直径よりも小さくてよくおよび/または骨増生材の粒子の大部分の直径よりも小さくてよくおよび/または骨増生材の全ての粒子の直径よりも小さくてよい。
【０２６４】
孔12は、骨増生材の直径よりも大きくてよい。別の形態では、骨増生材粒子が流動性のある環境の中にありながら、孔12は骨増生材粒子の直径よりも大きくてよい。流動性のある環境の例としては、生理食塩水および/またはを生理食塩水含む材料および/または血液および/またはゲルおよび/またはコラーゲンなどである。 
容器30に充填する方法としては、骨増生材を容器の中に注ぐおよび/またはスプーン状の装置を使うおよび/または注射器やじょうご、棒および/またはその他容器30の中に挿入できる装置を使うことが考えられる。
【０２６５】
容器30を適切な量の骨増生材で詰めた後は、容器の第２端部41において容器30を閉じ、図４に示す容器40を形成する。閉じる方法としては、例えば縫合および/または生体適合性のある縫合糸/接着材での接着が考えられる。容器の閉じ方としては、圧力および/または熱も考えられる。容器端部41を閉じる前に折るおよび/または巻くことができれば、折るおよび/または巻くことをせずに閉じることも可能である。
【０２６６】
図４に示すように容器を骨増生材で詰めた状態で市場に出すことができれば、図３に示すように空の容器30として市場に出し、外科医が後から骨増生材で詰め閉じることも可能である。
【０２６７】
図５に示すようにシートおよび/またはメンブレン10には中央多孔領域と隣接して端部閉鎖拡張部51をつくることができる。この端部閉鎖拡張部51により容器の片側を容易に閉じることができるようになる。シートおよび/またはメンブレン10を第1側部領域13が中央領域11の上に来るように折りおよび/または巻き、その後端部閉鎖拡張部51を第1側部領域13の上に来るように折りおよび/または巻き、その後第2側部領域14が第１側部領域13および端部閉鎖拡張部51の上に来るように配置できる。このようにシートおよび/またはメンブレンと端部閉鎖拡張部51を折るおよび/または巻くことで図３に示す容器30を作ることができる。容器30には容器の片側に中央/多孔領域があり、もう片側の少なくとも一部に沿って2層のメンブレン（第1と第2側部領域13、14）があり、軟部組織遮断領域21を形成する。端部閉鎖拡張部51に隣接する位置には、軟部組織遮断領域に隣接して3層のメンブレン（第1と第２側部領域13、14と端部閉鎖拡張部51）がある。
【０２６８】
端部閉鎖拡張部51が中央多孔領域の上になるように折り、第１と第2側部領域13、14が端部閉鎖拡張部51の上に配置することも可能である。端部閉鎖拡張部51が第1と第２側部領域の上にくるように折ることも可能である。メンブレン10の多要素を上下に配置する順序は、製造工程の推奨に応じて変えることができる。しかしながら、端部閉鎖拡張部51が短い場合は、閉鎖拡張部51が側部領域13、14の間にある方が、袋30が安定しやすい。
【０２６９】
図6に示すように、メンブレン10は、境界の一部に沿って、第１側部領域13から伸びる連結部分61をもつことができる。連結部分61は、一定の幅を持つか、あるいは一定でない幅をもつ矢印型またはその他の形状をとることができる。連結部分61は、ネック部62と、ネック部62よりも太いアンカー部63をもつことができる。連結部分61のネック部62の方がメンブレン10の中心により近い。メンブレン10はスロット64を持つことができ、連結部分61の少なくとも一部がスロット64に挿入することができる。スロット64の長さは、連結部分61のネック部62に対応すればよく、アンカー部63の幅よりも小さければよい。そうすることで、スロット64にアンカー部63を挿入した後、折らずにアンカー部がスロット64を再度通過してしまうことを防ぐことができる。スロット64を折り目15沿いに作ることでメンブレン10を折る手助けにもなる。スロット64を折り目15からずらすこともできる。
【０２７０】
図７に示すように、メンブレンは隣接する二つのスロット64、65をもつことができ、隣接するスロット64、65のどちらにも連結部61を通す際、図8に示すようにアンカー部63は容器80の外側にある。
【０２７１】
閉鎖拡張部51もスロット66あるいは二つのスロット66、67をもつことができ、折ると側部領域14のスロット64、65の上に来るようにし、連結部分61が側部領域14のスロット64、65に加え閉鎖拡張部51のスロット66、67にも通るようにすることで、袋をより安定させることができる。
【０２７２】
連結部分61の長さは1〜20mmまたは2〜10mmまたは3〜7mmにできる。メンブレン10には二つ以上の連結部分あるいは2〜10個または3〜個の連結部分を持たせることが出来る。連結部分61の間隔は2〜25mmまたは3〜15mmまたは5〜10 mmにできる。連結部分61は側部領域13、14のどちらにも沿って作ることができ、側部領域13、14どちらにもスロット64、65をもたせることで、それぞれの側部領域を他方の側部領域と連結させることができる。スロットは、中央領域11に作ることができ、中央領域の両側に作ることができる。
【０２７３】
閉鎖拡張部51は連結部分61を一つ以上もつことができ、第１側部領域13を第２側部領域14に連結させるのと同様のかたちで、閉鎖拡張部51を側部領域 (13、14) の少なくともどちらかに固定するためのスロットを、第１側部領域13および/または第２側部領域14は一つ以上もつことができる。
【０２７４】
第２側部領域14を、第１側部領域13および/または中央領域11および/または端部閉鎖拡張部51と連結させることができ、それにより容器80は構造を保ち、メンブレン10が開くことを防ぐことができる。メンブレン10の領域間を連結する方法はどのようなものでもよい。
【０２７５】
図９に示すように、容器90は、容器開口部92に隣接する第２端部閉鎖拡張部91をもつことができ、容器90を骨増生材で詰めた後に容器90の開口部92を容易に閉じることができる。第２端部閉鎖拡張部91は、容器90の中または第２側部領域14の上または第１側部領域13と第２側部領域14の間に、折るおよび/または巻くことができる。
【０２７６】
メンブレン10およびメンブレンの領域11・13・14・15・91、連結部分61、容器90は、再生を必要とする骨欠損に応じて、あらゆるサイズと形状をとることができる。例えばメンブレン10であれば、60 mmまたは40〜60mmまたは20〜40mmまたは4〜20mmまたは5〜17mm以上の長さ、60 mm、40〜60mmまたは20〜40mmまたは4〜20mmまたは5-17mm以上の幅、および全ての長さと幅の組み合わせ、の長方形のかたちをとることができる。容器であれば60 mmまたは40〜60mmまたは20〜40mmまたは4〜20mmまたは5〜17mm以上の長さをもつことができる。容器の幅は60 mm、40〜60mmまたは20〜40mmまたは4〜20mmまたは5-17mm以上にできる。再生する領域が歯3つ程度であれば、容器の長さは20〜45mm、容器の幅は7〜20mmでよい。再生する領域が歯1つ程度であれば、容器の長さは5〜15mm、容器の幅は7〜20mmでよい。
【０２７７】
閉鎖拡張部51、91は複数の形状と複数の寸法をとることができる。閉鎖拡張部51、91の長さ（管の開口部をつなぐ線に沿って）は3〜20mmまたは5〜18mmまたは10〜15mmまたは7〜10mmまたは20mm以上にできる。閉鎖拡張部51、91の幅は、中央領域11と同じ幅あるいは中央領域11の幅よりも0.5〜4mmまたは1〜3mm広くまたは狭くすることができる。閉鎖拡張部は長方形および/または角を丸めた形状および/または他のどのような形状もとることができる。
【０２７８】
中央領域11および側部領域13、14はメンブレン10に対して様々な割合で分割することができる。中央領域11および側部領域13、14は、メンブレン10の幅の1/3とすることができる。中央領域11を側部領域13、14よりも狭くすることができる。側部領域13、14を、実質的に同じ幅とするか、片方の側部領域の幅を他方の側部領域よりも大きくすることができる。第２側部領域が第１側部領域に完全にかぶるようにすることも、第１側部領域の一部しかかぶらないようにすることもできる。第１側部領域が中央領域に完全にかぶるようにすることも、中央領域の一部しかかぶらないようにすることもできる。第２側部領域が中央領域に完全にかぶるようにすることも、中央領域の一部しかかぶらないようにすることもできる。中央領域11の幅は、20mmまたは3〜25mmまたは5〜20mmまたは7〜16mm以上にできる。
【０２７９】
中央領域11には複数の孔12を開けることができる。孔12は、中央領域11の一部に沿ってしか作成できない。中央領域11の端部で、幅に沿って、閉鎖拡張部51、91に向かう部分には、1〜10mmまたは3〜7mmまたは1〜3mmの部分孔がなくてよい。中央領域11の端部で、長さに沿って、第１および/または第２側部領域13、14に向かう部分には、1〜10mmまたは3〜7mmまたは1〜3mmの部分孔がなくてよい。
【０２８０】
中央領域11を、生体消散性のものにするために孔を設けないこともできる。中央領域11は、非生体消散性にもできる側部領域13，14よりも早く生体消散することができる。中央領域11は生体消散性のものとしおよび/または孔を設けることができる。いかなる具合の生体消散性と孔の組み合わせも可能である。
【０２８１】
孔は、いくつかの大きさで組み合わせることができる。例えば、中央領域に1000ミクロン以上の大きい孔と500ミクロン以下の小さい孔を組み合わせることができる。
【０２８２】
骨増生材は、いくつかの大きさで組み合わせることができる。例えば、骨増生材に1000ミクロン以上の大きい粒子と500ミクロン以下の小さい粒子を組み合わせることができる。骨粒子の組み合わせは、対応する大きさの孔の組み合わせをもつ容器と使うことができる。
【０２８３】
骨増生材には、異なる再吸収率をもつ骨増生材を少なくとも二つ使うことができる。例としては、血管と骨形成細胞の内部成長が早くなる速効型生体消散性材料と長い間体積を保つことができる遅効型生体消散性材料および/または非再吸収性骨増生材がある。遅効型生体消散性材料には、例えば、数年間体の中に残る牛由来のミネラル（スイスのガイストリッヒ社のバイオオスなど）がある。
【０２８４】
遅効型生体消散性材料は例えば、骨再生を利用しないまたは利用する美容整形治療に用いることができる。遅効型生体消散性材料で満たした容器を上顎手前の歯茎の頬側に沿って配置することで、組織体積を増やし上唇の位置を向上させることができる。このように上唇を向上させることでしわをなくし、笑顔と美的容姿をよくすることができる。遅効型生体消散性材料で満たした容器を、例えば頬骨に隣接して配置することで、頬骨を向上させることができる。個々の要求や個々に埋める必要がある欠損箇所に基づいて、それぞれの患者に対して容器の正確な位置を決めることができる。
【０２８５】
外科医は、容器を準備し骨膜下トンネルに通す、あるいは粘膜骨膜弁を持ち上げ容器の上から粘膜骨膜弁を縫合することができる。中央領域を骨に向けて配置し、側部領域を骨膜組織に向けて配置することができる。顎骨に隣接して容器を配置する前に、顎骨に孔を開けてよい。
【０２８６】
下顎においては、骨膜下トンネルの作成および/またはトンネル内に容器を挿入する際に、下顎の頬側に位置するオトガイ神経および/またはその動脈を傷つけてしまう可能性がある。
【０２８７】
新しい容器（または袋またはポーチ）の使用方法では、図10および11に示すように、骨膜下トンネルの少なくとも一部を下顎の舌側から作成する。トンネルの開口部は、下顎100の舌側、多くの場合は舌の手前側から開けるのでよい。舌開口部102は、図10に示すように、前歯103の下に舌粘膜骨膜弁101を持ち上げることでできる。舌開口部102は、舌顎100の舌側のどの部分に沿って設けてもよく、下顎正中線を渡ってもよい。図11に示すように、容器110は舌開口部102を通して挿入することができる。このような方法であれば、オトガイ神経を傷つけずに済む。容器110挿入の後は、歯茎の上に載せ下歯茎を垂直的に増生させる、および/または下顎骨の頬および/または舌側に挿入・配置し歯茎を水平的に増生させることができる。頬面に届かせるために、容器110を舌側から歯槽骨頂を超えて頬側まで押し出すことができる。
【０２８８】
骨膜下トンネルに容器110を通す前に、図11に示すように、針112がつながった縫合糸111を容器につなぎ、針112と縫合糸111をトンネルに挿入し、針112と縫合糸111を骨膜組織を通してトンネルの外まで通すことができる。これにより、縫合糸111を引っ張ることが可能となり、トンネルの中への容器の挿入・配置を補助することができる。縫合糸111は軟部組織に縫合することで、トンネルの中にある容器を固定することができる。縫合糸111は生体消散性材料から作られたものでよい。
【０２８９】
図11に示すように、舌開口部102を下顎100の舌前部に設け、容器を下顎の後方部に配置してもよい。舌開口部を下顎の舌後方部に設け、容器を下顎の前部に配置してもよい。舌開口部の位置および容器の位置は、各患者に対し個別に決定することができる。舌開口部を容器の位置の上に設けない利点としては、のちに舌開口部の縫合を開ける際に容器の上にないため、容器が感染する可能性を下げることができる。さらなる利点としては、容器の上の骨膜組織を切ったり縫合することがないため、組織への血液供給が損なわれることがなく、結果的に容器暴露の可能性を下げることができる。
【０２９０】
容器（または袋またはポーチ）を専用の注射器の中に入れて然るべき場所に注入することで容器をトンネルの中に挿入することができる。このようにすることで、容器挿入の際、容器のメンブレンが周りの組織に触れず、容器のメンブレンが傷つかずに済む。別の形態では、トンネル挿入の前に容器はカバーおよび/または包みおよび/またはスリーブの中に挿入され、容器挿入の後にカバーおよび/または包みおよび/またはスリーブは除去され、トンネルの中に容器のみが残る。このようにすることで、容器挿入の際、容器のメンブレンが周りの組織に触れず、容器のメンブレンが傷つかずに済む。カバーおよび/または包みおよび/またはスリーブは、片側を閉じることで、開口部が1つある袋形状のカバーを形成する。容器が縫合糸111とつながっている場合は、縫合糸はカバーの空いた側から出てくるかたちとなり、一方のカバーの閉じた側は反対側にあるかたちとなる。図10および11の形態では、カバーの閉じた側は下顎の前側に向くかたちである。カバーは柔らかくてよく、例えばゴム、ナイロン、シリコン、その他材料、および上記の組み合わせにより作ることができる。カバーが透明の方が、外科医が容器の孔が空いた側を判断できるため有利である。カバー袋は生体適合性材料で作られた方が有利である。
【０２９１】
容器は、GBR膜固定用スクリューのようなボーンスクリューおよび/またはGBR膜固定用タック（例. ドイツのボティス社のタイタンピンのセット）のようなタックやピンを使って固定することもできる。トンネルの中での固定には、カーブタック供給装置（例. バイオホライゾンズU.S.のオートタック膜固定キット）を使うことができる。袋には、ボーンスクリューおよび/またはボーンタックを挿入するための拡張部を設けることができる。固定用の拡張部には、外科医がスクリューおよび/またはタックを挿入する際に骨が見れるように孔を開けてもよい。孔の空いた固定用拡張部は、袋を準備した後の図1、5，6，7に示すシート10の多孔中央領域11の一部としてもよく、多孔中央領域よりも短い。
【０２９２】
容器はタックやスクリューを二つ以上使って安定させることができる。例えば、骨膜下トンネル開口部に近い側の袋の面にタックを二つ使うことが可能である。例えば、図10および11の形態では、容器の前方（あるいは近心）側を、容器の頬側前方の角に隣接して一つ目のタック、容器の舌側前方の角に隣接して二つ目のタックを使って固定することが可能である。二つ以上のタック（またはスクリュー）を使うことで、袋の回転を防ぐことができ、安定度が向上する。
【０２９３】
容器の後方領域を安定させるために、固定用スクリューおよび/またはタックおよび/またはピンを、歯茎の後方（あるいは遠心）領域を通して挿入することも可能である。固定用スクリューおよび/またはタックを挿入する前に、歯茎の後方領域に小さな切込みを入れることで、外科医が、固定用スクリューおよび/またはタックを挿入する前に容器を見ることができ、固定用スクリューおよび/またはタックの穴をドリルで開ける際に骨を見ることが可能となる。固定用スクリューおよび/またはタックを歯茎を通して口腔まで突き出させることで、歯茎が固定用スクリューおよび/またはタック周辺で治癒することができる。  
容器はオープンサイナス増生手術とも呼ばれるオープンサイナスリフト手術で使うことができる。上顎洞の側壁に開口を開けシュナイダーメンブレンを持ち上げた後、容器を外側壁の開口を通して挿入し、上顎洞の底面上かつ持ち上げられたシュナイダーメンブレンの下に配置することができる。容器を骨増生材で既に満たした状態で挿入および/または上顎洞の中に入れた後に充填することができる。上顎洞の側壁開口部および/またはシュナイダーメンブレンおよび/またはシュナイダーメンブレンの裂け目にメンブレンが2層ある側を向けたかたちで容器を配置できる。
【０２９４】
シュナイダーが持ち上げの際に傷つかず破けなかった場合に、注射器の中に入れて容器を注入することができる。シュナイダーメンブレンが持ち上げの際に破けた場合および/またはシュナイダーメンブレンが手術過程の初め以前から傷ついていたおよび/または欠損していた場合に、注射器の中に入れて容器を注入することができる。シュナイダーメンブレンが破けているおよび/または欠損している場合は、上顎洞の底面と接触させるように容器を固定することが推奨される。容器の固定方法としては、いくつかの選択肢がある。例えば、歯科インプラントおよび/または複数の歯科インプラントを、上顎歯茎と上顎洞の底面を通して容器の中に挿入することができる。例えば、骨ブロック固定用のスクリューを使って容器を固定することができる。例えば、GBRメンブレン固定用のスクリューやタックを使って容器を固定することができ、スクリューおよび/またはタックは副鼻腔の中から口腔に向けておよび/または口腔から副鼻腔の中に向けて挿入することができる。
【０２９５】
縫合糸および/またはワイヤーを使って容器を固定することができる。図12に示す一つの形態では、固定用穴121および/または複数の固定用穴を上顎洞の側壁123の開口部122に隣接してドリルで開けることができる。縫合糸124を容器125（明確化のため図12に容器を図示しているが、容器は副鼻腔の中にあり、その境界はこの側面図では通常見えない。この見え方では開口122に隣接した容器125の一部しか見えない。）につなぎ、固定用穴121を通すことができる。縫合糸124を上顎の側壁に空いた開口122に通すことができる。縫合糸を結ぶことにより、容器を固定し、上顎洞の底面126（図12に示す破線。上顎洞の底面はこの側面図では通常見えない）に接触した状態にすることができる。
【０２９６】
通常であれば、上顎洞の中に挿入した後に、容器を部分的にまたは完全に充填する方が簡単にできる。別の形態では、容器の側面（中央領域および/または軟部組織遮断領域）いずれかに開口を設けることで、容器を充填することが可能になる。この充填は上述した袋の端部にある開口からの充填に追加して行うことができる。袋の端部にある開口から充填する代わりに側面開口から充填することができる。両端部を閉じた状態で袋を市場に販売し、側面開口から充填することができる。
【０２９７】
側面開口を軟部組織遮断領域に設け、第１（内側）シート（または第1側部領域）に第２シート（または第２側部領域）から到達できる開口部を設けることができる。側面開口を格納可能および/または可動なメンブレンの一部分（容器に付属する格納式カバーで、動かすことで開口部が見え骨材料を容器の中に挿入することが可能になり、その後元の位置に戻し側面開口を閉じることができる）で覆うことができる。
【０２９８】
軟部組織遮断領域にある側面開口は格納可能および/または可動なメンブレンの一部分（第１（内側）シート（または第１側部領域）の第１格納式カバーと第２（外側）シート（または第２側部領域）の第２格納式カバー）二つで覆うことができる。第２格納式カバーを第１格納式カバーよりも大きくし、第１シートの第１格納式カバーの境界周辺上に第２格納式カバーの境界が来るようにし、第１格納式カバーが第２格納式カバーに部分的にまたは完全に覆うようにできる。側面開口を閉じ、容器からの骨材料の漏れを防ぐうえでは、この構成がより効率的である。
【０２９９】
第１および第２格納式カバーは、異なる方向に格納されるように設計することができる。例えば、第１の格納式カバーは、容器の右境界に近い第１シートに連結され右方向に格納することができ、一方、第２格納式カバーは、容器の第２シートの左境界に近い第２シートに連結され左方向に格納することができる。別の任意の構成では、第１格納式カバーは容器の第１端部に近い側の第１シートに連結され、第１端部に向かって格納される。一方、第２格納式カバーは容器の第2端部に近い側の第２シートに連結され、第２端部に向かって格納される。格納式カバーを異なる方向に折りたたむのこの構成は、側面開口を閉じ、容器からの骨材料の漏れを防ぐうえではより効率的である。
【０３００】
第１シートの開口部と第１シートの境界との間にスロットを設け、第２格納式カバーをこのスロットを通して挿入することで、第２格納式カバーをより強固に固定し、骨膜下トンネルの中に容器を挿入する際のずれを防止することができる。第２および／または第１格納式カバーは、固定を改善するために容器に縫合および／または接着することができる。格納式カバーは、例えば、円形、楕円形、長方形および／または一方の側で容器に接続する舌状の形状をとることができる。
【０３０１】
側面開口は、容器の中心に隣接していても、容器の縁に隣接していてもよい。上述のように顎骨を増生させるためには、側面開口が容器の縁のいずれかに隣接している方が便利なことがある。この構成で、両端部が既に閉じている場合は、外科医は側面開口から充填した後に袋を閉じる必要がない。サイナスリフト手術の場合は、側面開口が容器の中心に隣接している方が便利なことがある。一方の端部は、容器端部の開口部を通しての初期充填を可能にするために開いていてもよく、副鼻腔の中への挿入後は側面開口を通して容器を充填してもよい。容器の両端が閉じている場合は、初期充填および／または上顎洞内への容器挿入後の充填は、側方開口を通してすることができる。サイナスリフト用容器の一実施形態では、中央領域の幅は側部領域の幅よりも小さく、軟組織遮断領域は中央領域よりも大きくシュナイダーメンブレンおよび上顎壁洞123の開口部122に面している。中央領域は上顎洞の底面126に面している。サイナスリフト用容器の別の実施形態では、中央領域の幅は側部領域の幅よりも大きく、軟組織遮断領域は中央領域よりも小さく上顎壁洞123の開口部122に面している。中央領域は上顎洞の底面126およびシュナイダーメンブレンに面している。
【０３０２】
上顎洞の開口部を閉じるために追加の膜を設けることは可能であるが、容器の中の骨がすでに少なくとも１つの膜、あるいはほとんどの場所では2つの膜で覆われているため、追加の膜にはさほど利点がない。
【０３０３】
図13は、側面開口を有する容器を準備するためのシートおよび／または膜の実施形態を示す。シート130は、複数孔を有する中央多孔領域131、第１側部領域133、第２側部領域134、第１閉鎖拡張部135、および第２閉鎖拡張部136を有する。シートには、図13には示されていないが上述の連結部と適合スロットを含めることができる。第１側部領域133には、第１側部領域133の一部分を部分的に取り囲む非線形スロットまたは複数の連結スロット137を含めることができ、それによって、この第１側部領域133の部分を、第１側部領域133と連結したまま持ち上げ、第１格納式カバー138を形成することができる。第２側部領域134には、第２側部領域134の一部分を部分的に取り囲む非線形スロットまたは複数の連結スロット141を含めることができ、それによって、この第２側部領域134の部分を、第２側部領域134と連結したまま持ち上げ、第２納式カバー139を形成することができる。第１側部領域133はカバー固定スロット140も有することで、シート130から容器を作成し骨増生材で充填した後に、第２格納式カバー139を固定することができる。
【０３０４】
図14は、図13のメンブレンまたはシート130から作成された容器142を示す。この実施形態では、一方の端部開口部143は依然として開いており、第２閉鎖拡張部136は端部開口部143を閉じるために作成される。第２側部領域134は、第１側部領域133を覆い軟部組織遮断領域144を形成する。軟組織遮断領域144では、第１格納式カバー138と第２格納式カバー139が格納され側面開口145を露出する。中央多孔領域131は、端部開口143および側面開口145を通して見ることができる。
図15は、充填された容器150と、図14の容器の端部開口部143が閉じられた様子と、図14の容器の側面開口145が第２格納式カバー139によって覆われた様子を示す。側面開口145はまた、第２格納式カバー139によって覆われるため図15には示されていないが、第１格納式カバー138によって覆われることができる。容器がサイナスリフト手術で使われる場合は、上顎洞壁の開口部を通して利用できるよう側面開口を設けることができる。
【０３０５】
上述のように、例えば固定用穴や縫合糸および／またはワイヤーを使用し、容器を上顎洞の底面および／または上顎洞の側壁に固定することができる。他方の格納式カバーで側面開口145を覆い閉じながら、格納式カバー138、139のいずれかを格納することも可能である。格納されたカバーは、例えばタックを使って上顎洞の底面および／または上顎洞の側壁に固定することができる。図13の閉鎖拡張部135、136を使用せずに、図14の容器140の側面開口を閉鎖することも可能である。端部は上述のように、例えば縫合により閉じることができる。この実施形態では、例えば閉鎖拡張部と副鼻腔の側壁123を通して挿入されたタックによって、閉鎖拡張部を使用して容器を固定することができる。
【０３０６】
容器は他の組織の治療にも使用することができる。例えば、片側に孔を有する同様の容器を軟骨細胞で充填し、膝の中に配置し、穿孔側を関節に向け、遮断領域を皮膚に向けて軟骨の再生を促進することができる。他の関節でも同様の治療が可能である。
【０３０７】
第２組織または器官に影響を与えずに、治療を必要とする組織に容器の有孔面が面するように、容器を２つの組織または器官の間に配置し、特定の組織の治療を目的とする薬物で充填することができる。
【０３０８】
第２組織および/または器官に影響を与えたり傷つけたりせずに、治療を必要とする組織に容器の有孔面が面するように、シートを放射線を遮断する材料から作り、容器を２つの組織または器官の間に配置し、片方の組織における悪性腫瘍を治療する放射線放出材料で充填することができる。一実施形態では、シートを少なくとも一部金属箔から作成することができる。別の実施形態では、コラーゲンや放射線遮断材料の分子および／または粒子および／または繊維のような、上述の骨再生誘導メンブレンの材料のいずれかからシートを少なくとも一部作成することができる。放射線遮断粒子または繊維を周囲の器官を傷つけず残したまま、シートの材料を生体消散性とすることができる。そのような容器は、前立腺を治療し直腸を保護しながら、例えば前立腺と直腸との間に配置することができる。
【図１】
2019531818.tif 000003
【図２】
2019531818.tif 000004
【図３】
2019531818.tif 000005
【図４】
2019531818.tif 000006
【図５】
2019531818.tif 000007
【図６】
2019531818.tif 000008
【図７】
2019531818.tif 000009
【図８】
2019531818.tif 000010
【図９】
2019531818.tif 000011
【図１０】
2019531818.tif 000012
【図１１】
2019531818.tif 000013
【図１２】
2019531818.tif 000014
【図１３】
2019531818.tif 000015
【図１４】
2019531818.tif 000016
【図１５】
2019531818.tif 000017
【国際調査報告】
2019531818.tif 000018
2019531818.tif 000019
2019531818.tif 000020